(57)【要約】【課題】ディジタル放送で送られてくる静止画の著作権保護が図れるようにした放送システム及び受信装置、放送方法及び受信方法を提供する。【解決手段】ディジタル放送で静止画の著作権の保護を図る必要があるときには、静止画コピー制御記述子が記述され、この静止画コピー制御記述子がＰＭＴ、ＥＩＴ、及びＳＤＴに含められる。静止画コピー制御記述子を使うことで、ディジタル放送における静止画の著作権情報及び著作権情報により受信機の振る舞いを細かく記載することが可能となる。ディジタル放送のコンテンツの受信機における印刷の細かい制御が可能となる。また、ディジタル放送のコンテンツの受信機における記録媒体への記録の細かい制御が可能となる。【選択図】        図５
2004173079.tif 000002
【特許請求の範囲】
【請求項１】
ＭＰＥＧシステムのストリームでディジタル放送を送信する送信装置と、
上記送信装置から送信されたストリームを受信する受信装置とからなり、
上記送信装置は、静止画の著作権情報を上記ストリーム中のＰＭＴのテーブルに含めて送信し、
上記受信装置は、上記送信装置から送られてきた上記ストリーム中の上記ＰＭＴのテーブルの上記静止画の著作権情報を参照し、上記ＰＭＴのテーブルの上記静止画の著作権情報に基づいて静止画の著作権保護の処理を行うようにした放送システム。
【請求項２】
ＭＰＥＧシステムのストリームでディジタル放送を送信する送信装置と、
上記送信装置から送信されたストリームを受信する受信装置とからなり、
上記送信装置は、静止画の著作権情報を上記ストリーム中のＥＩＴ及び／又はＳＤＴのテーブルに含めて送信し、
上記受信装置は、上記送信装置から送られてきた上記ストリーム中の上記ＥＩＴ及び／又はＳＤＴのテーブルの上記静止画の著作権情報を参照し、上記ＥＩＴ及び／又はＳＤＴのテーブルの上記静止画の著作権情報に基づいて予約時の静止画の著作権保護の処理を行うようにした放送システム。
【請求項３】
上記静止画の著作権管理情報は、動画の著作権管理情報と独立に設定可能とされた請求項１又は２に記載の放送システム。
【請求項４】
上記静止画像は、動画像の一部を抽出した静止画である請求項１又は２に記載の放送システム。
【請求項５】
上記静止画像は、データ放送で送られてきた静止画である請求項１又は２に記載の放送システム。
【請求項６】
上記送信装置は、表示画面の解像度に関する情報を上記静止画の著作権情報中に含め、上記受信装置は、上記静止画の著作権情報に含められた解像度に関する情報を参照し、解像度を制限するようにした請求項１又は２に記載の放送システム。
【請求項７】
データ放送で送られてきた静止画のうち、文字などの解像度制限する必要の無いグラフィックス信号のみに解像度の制限を適応しないことを可能とした請求項１又は２に記載の放送システム。
【請求項８】
上記送信装置は、記録制限に関する情報を上記静止画の著作権情報中に含め、上記受信装置は、上記静止画の著作権情報に含められた記録制限に関する情報を参照し、記録媒体への記録を制限するようにした請求項１又は２に記載の放送システム。
【請求項９】
上記送信装置は、印刷に関する情報を上記静止画の著作権情報中に含め、上記受信装置は、上記静止画の著作権情報に含められた印刷に関する情報を参照し、プリンタへの印刷を制限するようにした請求項１又は２に記載の放送システム。
【請求項１０】
ＭＰＥＧシステムのストリームで送信されてきたディジタル放送の信号を受信する受信手段と、
上記受信したストリーム中からＰＭＴのテーブルの情報をデコードし、上記ＰＭＴのテーブルから静止画の著作権情報を取得する手段と、
上記ストリーム中の上記ＰＭＴのテーブルの上記静止画の著作権情報を参照し、上記ＰＭＴのテーブルの上記静止画の著作権情報に基づいて静止画の著作権保護の処理を行う手段と
を備えるようにした受信装置。
【請求項１１】
ＭＰＥＧシステムのストリームで送信されてきたディジタル放送の信号を受信する受信手段と、
上記受信したストリーム中からＥＩＴ及び／又はＳＤＴのテーブルの情報をデコードし、上記ＥＩＴ及び／又はＳＤＴのテーブルから静止画の著作権情報を取得する手段と、
上記ストリーム中の上記ＥＩＴ及び／又はＳＤＴのテーブルの上記静止画の著作権情報を参照し、上記ＥＩＴ及び／又はＳＤＴのテーブルの上記静止画の著作権情報に基づいて予約時の静止画の著作権保護の処理を行う手段と
を備えるようにした受信装置。
【請求項１２】
上記ＰＭＴのテーブルの上記静止画著作権情報が参照できないときには、上記ＰＭＴのテーブルの動画著作権情報を参照し、上記動画著作権情報に基づいて上記静止画著作権情報を設定するようにした請求項１０に記載の受信装置。
【請求項１３】
上記ＰＭＴテーブルの静止画著作権情報及び上記ＰＭＴのテーブルの動画著作権情報が参照できないときには、あらかじめ決められた静止画の著作権情報に基づいて上記静止画著作権情報を設定するようにした請求項１０に記載の受信装置。
【請求項１４】
上記ＥＩＴ及び／又はＳＤＴのテーブルの上記静止画著作権情報が参照できないときには、上記ＥＩＴ及び／又はＳＤＴのテーブルの動画著作権情報を参照し、上記動画著作権情報に基づいて上記静止画著作権情報を設定するようにした請求項１１に記載の受信装置。
【請求項１５】
上記ＥＩＴ及び／又はＳＤＴのテーブルの静止画著作権情報並びに上記ＥＩＴ及び／又はＳＤＴのテーブルの静止画著作権情報が参照できないときには、あらかじめ決められた静止画の著作権情報に基づいて上記静止画著作権情報を設定するようにした請求項１１に記載の受信装置。
【請求項１６】
上記静止画の著作権情報中には表示画面の解像度に関する情報が含められ、上記静止画の著作権情報に含められた解像度に関する情報を参照し、解像度を制限するようにした請求項１０又は１１に記載の受信装置。
【請求項１７】
上記静止画の著作権情報中には記録制限に関する情報が含められ、上記静止画の著作権情報に含められた記録制限に関する情報を参照し、記録媒体への記録を制限するようにした請求項１０又は１１に記載の受信装置。
【請求項１８】
上記静止画の著作権情報中には印刷に関する情報が含められ、上記静止画の著作権情報に含められた印刷に関する情報を参照し、プリンタへの印刷を制限するようにした請求項１０又は１１に記載の受信装置。
【請求項１９】
静止画の著作権情報をＭＰＥＧシステムのストリーム中のＰＭＴのテーブルに含めて送信し、
上記送信されてきたＭＰＥＧシステムのストリームを受信し、
上記受信されたストリーム中の上記ＰＭＴのテーブルの上記静止画の著作権情報を参照し、上記ＰＭＴのテーブルの上記静止画の著作権情報に基づいて静止画の著作権保護の処理を行うようにした放送データの保護方法。
【請求項２０】
静止画の著作権情報をＭＰＥＧシステムのストリーム中のＥＩＴ及び／又はＳＤＴのテーブルに含めて送信し、
上記送信されてきたＭＰＥＧシステムのストリームを受信し、
上記受信されたストリーム中の上記ＥＩＴ及び／又はＳＤＴのテーブルの上記静止画の著作権情報を参照し、上記ＥＩＴ及び／又はＳＤＴのテーブルの上記静止画の著作権情報に基づいて予約時の静止画の著作権保護の処理を行うようにした放送データの保護方法。
【請求項２１】
上記静止画の著作権管理情報は、動画の著作権管理情報と独立に設定可能とされた請求項１９又は２０に記載の放送データの保護方法。
【請求項２２】
上記静止画像は、動画像の一部を抽出した静止画である請求項１９又は２０に記載の放送データの保護方法。
【請求項２３】
上記静止画像は、データ放送で送られてきた静止画である請求項１９又は２０に記載の放送データの保護方法。
【請求項２４】
上記送信する際に、表示画面の解像度に関する情報を上記静止画の著作権情報中に含め、上記受信する際に、上記静止画の著作権情報に含められた解像度に関する情報を参照し、解像度を制限するようにした請求項１９又は２０に記載の放送データの保護方法。
【請求項２５】
データ放送で送られてきた静止画のうち、文字などの解像度制限する必要の無いグラフィックス信号のみに解像度の制限を適応しないことを可能とした請求項１９又は２０に記載の放送データの保護方法。
【請求項２６】
上記送信する際に、記録制限に関する情報を上記静止画の著作権情報中に含め、上記受信する際に、上記静止画の著作権情報に含められた記録制限に関する情報を参照し、記録媒体への記録を制限するようにした請求項１９又は２０に記載の放送データの保護方法。
【請求項２７】
上記送信する際に、印刷に関する情報を上記静止画の著作権情報中に含め、上記受信する際に、上記静止画の著作権情報に含められた印刷に関する情報を参照し、プリンタへの印刷を制限するようにした請求項１９又は２０に記載の放送データの保護方法。
【請求項２８】
ＭＰＥＧシステムのストリームで送信されてきたディジタル放送の信号を受信し、
上記受信したストリーム中からＰＭＴのテーブルの情報をデコードし、上記ＰＭＴのテーブルから静止画の著作権情報を取得し、
上記ストリーム中の上記ＰＭＴのテーブルの上記静止画の著作権情報を参照し、上記ＰＭＴのテーブルの上記静止画の著作権情報に基づいて静止画の著作権保護の処理を行う
ようにした受信方法。
【請求項２９】
ＭＰＥＧシステムのストリームで送信されてきたディジタル放送の信号を受信し、
上記受信したストリーム中からＥＩＴ及び／又はＳＤＴのテーブルの情報をデコードし、上記ＥＩＴ及び／又はＳＤＴのテーブルから静止画の著作権情報を取得し、
上記ストリーム中の上記ＥＩＴ及び／又はＳＤＴのテーブルの上記静止画の著作権情報を参照し、上記ＥＩＴ及び／又はＳＤＴのテーブルの上記静止画の著作権情報に基づいて予約時の静止画の著作権保護の処理を行う
ようにした受信方法。
【請求項３０】
上記ＰＭＴのテーブルの上記静止画著作権情報が参照できないときには、上記ＰＭＴのテーブルの動画著作権情報を参照し、上記動画著作権情報に基づいて上記静止画著作権情報を設定するようにした請求項２８に記載の受信方法。
【請求項３１】
上記ＰＭＴのテーブルの上記静止画著作権情報及び上記ＰＭＴのテーブルの動画著作権情報が参照できないときには、あらかじめ決められた静止画の著作権情報に基づいて上記静止画著作権情報を設定するようにした請求項２８に記載の受信方法。
【請求項３２】
上記ＥＩＴ及び／又はＳＤＴのテーブルの上記静止画著作権情報が参照できないときには、上記ＥＩＴ及び／又はＳＤＴのテーブルの動画著作権情報を参照し、上記動画著作権情報に基づいて上記静止画著作権情報を設定するようにした請求項２９に記載の受信方法。
【請求項３３】
上記ＥＩＴ及び／又はＳＤＴのテーブルの上記静止画著作権情報並びに上記ＥＩＴ及び／又はＳＤＴのテーブルの動画著作権情報が参照できないときには、あらかじめ決められた静止画の著作権情報に基づいて上記静止画著作権情報を設定するようにした請求項２９に記載の受信方法。
【請求項３４】
上記静止画の著作権情報中には表示画面の解像度に関する情報が含められ、上記静止画の著作権情報に含められた解像度に関する情報を参照し、解像度を制限するようにした請求項２８又は２９に記載の受信方法。
【請求項３５】
上記静止画の著作権情報中には記録制限に関する情報が含められ、上記静止画の著作権情報に含められた記録制限に関する情報を参照し、記録媒体への記録を制限するようにした請求項２８又は２９に記載の受信方法。
【請求項３６】
上記静止画の著作権情報中には印刷に関する情報が含められ、上記静止画の著作権情報に含められた印刷に関する情報を参照し、プリンタへの印刷を制限するようにした請求項２８又は２９に記載の受信方法。
【発明の詳細な説明】
【０００１】
【発明の属する技術分野】
この発明は、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）２システムを用いるディジタル放送システム及び受信装置、並びに、放送データの保護方法、受信方法に関するもので、特に、静止画の著作権の保護に係わる。
【０００２】
【従来の技術】
日本のディジタル放送（ディジタル衛星放送、ディジタル地上波放送、ディジタルＣＡＴＶ（Ｃａｂｌｅ  Ｔｅｌｅｖｉｓｉｏｎ））では、ＭＰＥＧ２システム（ＩＳＯ／ＩＥＣ  １３８１８−１  ＧＥＮＥＲＩＣ  ＣＯＤＩＮＧ  ＯＦ  ＭＯＶＩＮＧ  ＰＩＣＴＵＲＥＳ  ＡＮＤ  ＡＳＳＯＣＩＡＴＥＤ  ＡＵＤＩＯ：  ＳＹＳＴＥＭＳ  Ｒｅｃｏｍｍｅｎｄａｔｉｏｎ  Ｈ．２２２．０）が採用されている。この方式は、ＡＲＩＢ（Ａｓｓｏｃｉａｔｉｏｎ  ｏｆ  Ｒａｄｉｏ  Ｉｎｄｕｓｔｒｉａｌ  ａｎｄ  Ｂｕｓｉｎｅｓｓｅｓ）の規格の基に作成されたものである。
【０００３】
ＭＰＥＧ２システムは、符号化されたビデオやオーディオ、付加データなど個別のストリームを多重化し、それぞれの同期をとりながら再生するための方式を規定したもので、ＭＰＥＧ２−ＰＳ（  Ｐｒｏｇｒａｍ  Ｓｔｒｅａｍ）と、ＭＰＥＧ２−ＴＳ（Ｔｒａｎｓｐｏｒｔ  Ｓｔｒｅａｍ）の２種類の方式がある。
【０００４】
ＭＰＥＧ２−ＰＳは、誤りの発生しない環境でのデータの伝送・蓄積に適用されることを想定しており、冗長度を小さくすることができることから、ＤＶＤ（Ｄｉｇｉｔａｌ  Ｖｅｒｓａｔｉｌｅ  Ｄｉｓｃ）などの強力な誤り訂正符号を用いたディジタルストレージメディアで使用されている。
【０００５】
ＭＰＥＧ２−ＴＳは、放送や通信ネットワークなどデータの伝送誤りが発生する環境に適用されることを想定しており、１本のストリームの中に複数のプログラムを構成することができることから、ディジタル放送などに使用されている。
【０００６】
ＭＰＥＧ２−ＴＳでは、１８８バイトの固定長のＴＳ（Ｔｒａｎｓｐｏｒｔ  Ｓｔｒｅａｍ）パケットが複数個集まって、トランスポートストリームが構成される。この１８８バイトのＴＳパケットの長さは、ＡＴＭ（Ａｓｙｎｃｈｒｏｎｏｕｓ  Ｔｒａｎｓｆｅｒ  Ｍｏｄｅ）セル長との整合性を考慮して決定されている。
【０００７】
ＴＳパケットは、４バイトの固定長のパケットヘッダと、可変長のアダプテーションフィールド及びペイロードで構成される。パケットヘッダには、ＰＩＤ（パケット識別子）や各種のフラグが定義されている。ＰＩＤにより、ＴＳパケットの種類が識別される。
【０００８】
ビデオやオーディオなどの個別ストリームが収められたＰＥＳ（Ｐａｃｋｅｔｉｚｅｄ  Ｅｌｅｍｅｎｔａｒｙ  Ｓｔｒｅａｍ）パケットは、同じＰＩＤ番号を持つ複数のＴＳパケットに分割されて伝送される。ビデオの符号化には、例えばＭＰＥＧ２方式が用いられる。オーディオの符号化には、例えばＢＳ（Ｂｒｏａｄｃａｓｔ  Ｓａｔｅｌｌｉｔｅ  ）ディジタル放送ではＭＰＥＧ２−ＡＡＣ（ＭＰＥＧ２  Ａｄｖａｎｃｅｄ  Ａｕｄｉｏ  Ｃｏｄｉｎｇ  ）方式が用いられている。
【０００９】
また、字幕などのデータが納められたＰＥＳパケットも、ビデオやオーディオのパケットと同様に、複数のＴＳパケットに分割されて伝送される。
【００１０】
更に、トランスポートストリームには、ＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）のセクション形式のテーブルで記述された情報のパケットが含められる。ＰＳＩは、所望の放送のチャンネルを選択して受信するシステムで必要な情報であり、これには、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎ  Ａｃｃｅｓｓ  Ｔａｂｌｅ）などがある。
【００１１】
ＰＡＴにはプログラム番号に対応するＰＭＴのＰＩＤ等が記述されている。ＰＭＴには対応するプログラムに含まれる映像、音声、付加データ及びＰＣＲのＰＩＤが記述される。ＮＩＴには、放送システム全体に関する詳細情報が記述され、例えばネットワークに含まれる全てのプログラムの情報や、目的のプログラムがどの搬送波周波数で送られているかが記述されている。ＣＡＴには、限定受信方式の識別と契約情報等の個別情報に関する情報が記述される。ＳＩは、放送事業者のサービスに用いるセクションである。ＳＩとしては、ＥＩＴ（Ｅｖｅｎｔ  Ｉｎｆｏｒｍａｔｉｏｎ  Ｔａｂｌｅ）やＳＤＴ（Ｓｅｒｖｉｃｅ  Ｄｅｓｃｒｉｐｔｉｏｎ  Ｔａｂｌｅ）がある。ＥＩＴは、番組の詳細情報及び放送時間などが記述されており、ＥＰＧ（Ｅｌｅｃｔｒｏｎｉｃ  Ｐｒｏｇｒａｍ  Ｇｕｉｄｅ）や録画予約に用いられる。
【００１２】
このようなＭＰＥＧ２システムのディジタル放送として、日本において既に、ディジタルＣＳ（Ｃｏｍｍｕｎｉｃａｔｉｏｎ  Ｓａｔｅｌｌｉｔｅ  ）放送やディジタルＢＳ（Ｂｒｏａｄｃａｓｔ  Ｓａｔｅｌｌｉｔｅ  ）放送が開始されている。ディジタルＢＳ放送では、通常のＳＤＴＶ（Ｓｔａｎｄａｒｄ  Ｄｅｆｉｎｉｔｉｏｎ  Ｔｅｌｅｖｉｓｉｏｎ）の他に、ＨＤＴＶ（Ｈｉｇｈ  Ｄｅｆｉｎｉｔｉｏｎ  Ｔｅｌｅｖｉｓｉｏｎ）の放送が行われている。また、ディジタル地上波放送を行うことが検討されている。
【００１３】
このようなディジタル放送で送られる動画像の著作権を保護するために、ＡＲＩＢ  ＳＴＤ−Ｂ１０では、ディジタルコピー制御記述子（ｄｉｇｉｔａｌ＿ｃｏｐｙ＿ｃｏｎｔｒｏｌ＿ｄｅｓｃｒｉｐｔｏｒ）が定義されている（図３参照）。このディジタルコピー制御記述子（ｄｉｇｉｔａｌ＿ｃｏｐｙ＿ｃｏｎｔｒｏｌ＿ｄｅｓｃｒｉｐｔｏｒ）はＰＭＴ、ＥＩＴ、及びＳＤＴに挿入される。ディジタル放送で送られる動画像をコピーする場合には、この記述子に従って、コピー制限が行われる。
【００１４】
ディジタルコピー制御記述子（ｄｉｇｉｔａｌ＿ｃｏｐｙ＿ｃｏｎｔｒｏｌ＿ｄｅｓｃｒｉｐｔｏｒ）におけるｄｉｇｉｔａｌ＿ｒｅｃｏｒｄｉｎｇ＿ｃｏｎｔｒｏｌ＿ｄａｔａの２ビットがコピー制御のためのものである。この２ビットが「００」ならコピーフリー、「１１」ならコピー禁止、「１０」なら一世代のみコピーが許可される。すなわち、この２ビットはＣＧＭＳ（Ｃｏｐｙ  Ｇｅｎｅｒａｔｉｏｎ  Ｍａｎａｇｅｍｅｎｔ  Ｓｙｓｔｅｍ）のコピー制御を行うものである。ＣＧＭＳによるコピー制御は、例えば特許文献１に記載されている。
【００１５】
更に、動画像に対しては、コンテント利用記述子（ｃｏｎｔｅｎｔ＿ａｖａｉｌａｂｉｌｉｔｙ＿ｄｅｓｃｒｉｐｔｏｒ）が定義されている（図４参照）。このコンテント利用記述子（ｃｏｎｔｅｎｔ＿ａｖａｉｌａｂｉｌｉｔｙ＿ｄｅｓｃｒｉｐｔｏｒ）では、保存された画像を出力する場合に解像度を制限したり、コピーが禁止されている画像をビデオ記録再生装置に一時的に記録したときの記録時間を制限したりできる。
【００１６】
コンテント利用記述子（ｃｏｎｔｅｎｔ＿ａｖａｉｌａｂｉｌｉｔｙ＿ｄｅｓｃｒｉｐｔｏｒ）において、ｉｍａｇｅ＿ｃｏｎｓｔｒａｉｎ＿ｔｏｋｅｎは、保存された画像をアナログ出力する場合に解像度を制限するものである。ｒｅｔｅｎｔｉｏｎ＿ｍｏｄｅは、コピーが禁止されている画像を一時的に記録したときの記録時間を制限するかどうかを示し、ｒｅｔｅｎｔｉｏｎ＿ｓｔａｔｅはコピーが禁止されている画像を一時的に記録したときの記録制限時間を示す。ｒｅｔｅｎｔｉｏｎ＿ｍｏｄｅが「０」のときには、ｒｅｔｅｎｔｉｏｎ＿ｓｔａｔｅで示される時間だけ、画像を一次記憶できる。ｅｎｃｒｙｐｔｉｏｎ＿ｍｏｄｅは、コンテンツのデータを高速ディジタル端子から暗号化して出力するかどうかを示す。
【００１７】
近年、ＨＤＤ（Ｈａｒｄ  Ｄｉｓｋ  Ｄｒｉｖｅ）を使ったビデオ記録再生装置が登場しており、このＨＤＤを使ったビデオ記録再生装置では、受信中の動画像を保存しておき、来客などがあったときには、受信中の画面をフリーズしておき、来客が帰った後に、ＨＤＤに記録されている動画像をフリーズしたところから追いかけ再生させるような機能を有している。コンテント利用記述子（ｃｏｎｔｅｎｔ＿ａｖａｉｌａｂｉｌｉｔｙ＿ｄｅｓｃｒｉｐｔｏｒ）のｒｅｔｅｎｔｉｏｎ＿ｓｔａｔｅは、このような機能を有するビデオ記録再生装置で特にコピー禁止のコンテンツのコピー制限を行う場合に効果的である。
【００１８】
【特許文献１】
特開２０００−１２３４８０号
【００１９】
【発明が解決しようとする課題】
このように、動画像の著作権の保護は、ディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）をＰＭＴに挿入することにより実現されている。
【００２０】
ところが、放送における静止画の著作権情報を送るシステムは存在しない。よって、著作権法の違反行為が後を絶たない。静止画には版権、肖像権などの権利があり、静止画コンテンツの著作権情報を伝送及び管理するシステムの確立が望まれている。
【００２１】
違法に利用される可能性のある静止画としては、動画像をフリーズして、動画像の一部を静止画として取り出したものと、データ放送サービスで送られてくる静止画が考えられる。
【００２２】
すなわち、動画像は、基本的には、静止画像の連続である。ディジタル放送では、映像フォーマットとして、１０８０ｉ（１９２０×１０８０  飛び越し走査）、４８０ｐ（７２０×４８０  順次走査）、４８０ｉ（７２０×４８０  飛び越し走査）、７２０ｐ（１２８０×７２０  順次走査）、（１０８０ｐ  １９２０×１０８０  順次走査）等がある。動画像をフリーズ再生させると、静止画が得られる。１０８０ｉや１０８０ｐ、７２０ｐの映像フォーマットの信号では、動画像をフリーズして得られた静止画もかなりの高画質となる。
【００２３】
また、ディジタル放送では、データ放送サービスが行える。データ放送サービスでは、動画像や静止画像、文字、図形、字幕などのマルチメディアのコンテンツが扱え、ブラウザを利用することで、これらマルチメディアのコンテンツをリンクさせて閲覧することができる。このデータ放送サービスから、ＪＰＥＧ（Ｊｏｉｎｔ  Ｐｈｏｔｏｇｒａｐｈｉｃ  Ｅｘｐｅｒｔｓ  Ｇｒｏｕｐ）方式等で符号化された静止画が得られる。
【００２４】
このように、動画像の一部として抽出された静止画や、データ放送サービスで送られてくる静止画についても、著作権を保護する必要があり、その静止画が不法にコピーされたり、不法にプリントアウトされたり、ホームページなどに不法に貼り付けられたりすることを防止する必要がある。
【００２５】
したがって、この発明の目的は、ディジタル放送で送られてくる静止画の著作権保護が図れるようにした放送システム及び受信装置、放送データの保護方法及び受信方法を提供することにある。
【００２６】
【課題を解決するための手段】
この発明は、ＭＰＥＧシステムのストリームでディジタル放送を送信する送信装置と、
送信装置から送信されたストリームを受信する受信装置とからなり、
送信装置は、静止画の著作権情報をストリーム中のＰＭＴのテーブルに含めて送信し、
受信装置は、送信装置から送られてきたストリーム中のＰＭＴのテーブルの静止画の著作権情報を参照し、ＰＭＴのテーブルの静止画の著作権情報に基づいて静止画の著作権保護の処理を行うようにした放送システムである。
【００２７】
この発明は、ＭＰＥＧシステムのストリームでディジタル放送を送信する送信装置と、
送信装置から送信されたストリームを受信する受信装置とからなり、
送信装置は、静止画の著作権情報をストリーム中のＥＩＴ及び／又はＳＤＴのテーブルに含めて送信し、
受信装置は、送信装置から送られてきたストリーム中のＥＩＴ及び／又はＳＤＴのテーブルの静止画の著作権情報を参照し、ＥＩＴ及び／又はＳＤＴのテーブルの静止画の著作権情報に基づいて予約時の静止画の著作権保護の処理を行うようにした放送システムである。
【００２８】
この発明は、ＭＰＥＧシステムのストリームで送信されてきたディジタル放送の信号を受信する受信手段と、
受信したストリーム中からＰＭＴのテーブルの情報をデコードし、ＰＭＴのテーブルから静止画の著作権情報を取得する手段と、
ストリーム中のＰＭＴのテーブルの静止画の著作権情報を参照し、ＰＭＴのテーブルの静止画の著作権情報に基づいて静止画の著作権保護の処理を行う手段と
を備えるようにした受信装置である。
【００２９】
この発明は、ＭＰＥＧシステムのストリームで送信されてきたディジタル放送の信号を受信する受信手段と、
受信したストリーム中からＥＩＴ及び／又はＳＤＴのテーブルの情報をデコードし、ＥＩＴ及び／又はＳＤＴのテーブルから静止画の著作権情報を取得する手段と、
ストリーム中のＥＩＴ及び／又はＳＤＴのテーブルの静止画の著作権情報を参照し、ＥＩＴ及び／又はＳＤＴのテーブルの静止画の著作権情報に基づいて予約時の静止画の著作権保護の処理を行う手段とを備えるようにした受信装置である。
【００３０】
この発明は、静止画の著作権情報をＭＰＥＧシステムのストリーム中のＰＭＴのテーブルに含めて送信し、
送信されてきたＭＰＥＧシステムのストリームを受信し、
受信されたストリーム中のＰＭＴのテーブルの静止画の著作権情報を参照し、ＰＭＴのテーブルの静止画の著作権情報に基づいて静止画の著作権保護の処理を行うようにした放送データの保護方法である。
【００３１】
この発明は、静止画の著作権情報をＭＰＥＧシステムのストリーム中のＥＩＴ及び／又はＳＤＴのテーブルに含めて送信し、
送信されてきたＭＰＥＧシステムのストリームを受信し、
受信されたストリーム中のＥＩＴ及び／又はＳＤＴのテーブルの静止画の著作権情報を参照し、ＥＩＴ及び／又はＳＤＴのテーブルの静止画の著作権情報に基づいて予約時の静止画の著作権保護の処理を行うようにした放送データの保護方法である。
【００３２】
この発明は、ＭＰＥＧシステムのストリームで送信されてきたディジタル放送の信号を受信し、
受信したストリーム中からＰＭＴのテーブルの情報をデコードし、ＰＭＴのテーブルから静止画の著作権情報を取得し、
ストリーム中のＰＭＴのテーブルの静止画の著作権情報を参照し、ＰＭＴのテーブルの静止画の著作権情報に基づいて静止画の著作権保護の処理を行う
ようにした受信方法である。
【００３３】
この発明は、ＭＰＥＧシステムのストリームで送信されてきたディジタル放送の信号を受信し、
受信したストリーム中からＥＩＴ及び／又はＳＤＴのテーブルの情報をデコードし、ＥＩＴ及び／又はＳＤＴのテーブルから静止画の著作権情報を取得し、
ストリーム中のＥＩＴ及び／又はＳＤＴのテーブルの静止画の著作権情報を参照し、ＥＩＴ及び／又はＳＤＴのテーブルの静止画の著作権情報に基づいて予約時の静止画の著作権保護の処理を行うようにした受信方法である。
【００３４】
放送されてくるコンテンツデータの著作権の保護を図る必要があるときには、それに基づいて、ディジタルコピー制御記述子（ｄｉｇｉｔａｌ＿ｃｏｐｙ＿ｃｏｎｔｒｏｌ＿ｄｅｓｃｒｉｐｔｏｒ）や、コンテント利用記述子（ｃｏｎｔｅｎｔ＿ａｖａｉｌａｂｉｌｉｔｙ＿ｄｅｓｃｒｉｐｔｏｒ）、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が記述される。ディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）ばかりでなく、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を使うことで、動画ばかりでなく、静止画についても著作権の保護を図ることができる。
【００３５】
静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を使うことで、ディジタル放送における静止画の著作権情報及び著作権情報により受信機の振る舞いを細かく記載することが可能となる。また、ディジタル放送のコンテンツの受信機における印刷の細かい制御を可能となる。また、ディジタル放送のコンテンツの受信機における記録媒体への記録の細かい制御が可能となる。
【００３６】
また、この発明では、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が参照できないときには、ディジタルコピー制御記述子（ｄｉｇｉｔａｌ＿ｃｏｐｙ＿ｃｏｎｔｒｏｌ＿ｄｅｓｃｒｉｐｔｏｒ）を参照し、動画のディジタルコピー制御記述子で静止画のコピー制御記述子を設定するようにしている。これにより、ディジタル放送の送出側の負担を減らすことができる。
【００３７】
また、この発明では、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）及び動画のディジタルコピー制御記述子が参照できない場合は、著作権情報が送られてこなかった場合に、あらかじめ決められた静止画の著作権情報に基づいて、静止画のコピー制御記述子を設定するようにしている。これにより、ディジタル放送の送出側の負担を減らすことができる。
【００３８】
また、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）をＥＩＴ及び／又はＳＤＴに挿入することで、番組予約の際に、静止画の著作権の保護を行うことができる。
【００３９】
【発明の実施の形態】
以下、この発明の実施の形態について図面を参照して説明する。図１は、この発明が適用されたディジタル衛星放送の受信システムの一例を示すものである。
【００４０】
図１において、放送局１からは、ディジタル放送の信号が送信される。ディジタル放送の信号は、ＭＰＥＧ２−ＴＳのシステムで、映像及び音声、データを放送するものである。ディジタル放送としては、ディジタル衛星放送、ディジタル地上波放送、ディジタルＣＡＴＶ等がある。この発明は、ＭＰＥＧ２−ＴＳのシステムでディジタル放送を行うものであれば、何れの放送形式の場合にも適用できる。
【００４１】
ＭＰＥＧ２−ＴＳでは、図２Ａに示すように、１８８バイトからなるＴＳパケットが使用される。このＴＳパケットは、４バイトのヘッダと、１８４バイトのペイロードとからなる。
【００４２】
図２Ｂに示すように、ヘッダの先頭には、パケットの先頭を示す８ビットの同期バイト（ｓｙｎｃ＿ｂｙｔｅ）が設けられている。これに続いて、パケット中のエラーの有無を示す１ビットの誤りインジケータ（ｔｒａｎｓｐｏｒｔ＿ｅｒｒｏｒ＿ｉｎｄｉｃａｔｏｒ）と、新たなＰＥＳパケットがこのトランスポートパケットのペイロードから始まることを示す１ビットのユニット開始インジケータ（ｐａｙｌｏａｄ＿ｕｎｉｔ＿ｓｔａｒｔ＿ｉｎｄｉｃａｔｏｒ）と、このパケットの重要度を示す１ビットのトランスポートプライオリティ（ｔｒａｎｓｐｏｒｔ＿ｐｒｉｏｒｉｔｙ）と、個別のパケットを識別するための１３ビットのＰＩＤ（ｐａｃｋｅｔ＿ＩＤ  ）と、ペイロードのスクランブルの有無を示す２ビットのスクランブル制御（ｔｒａｎｓｐｏｒｔ＿ｓｃｒａｍｂｌｅ＿ｃｏｎｔｒｏｌ）と、アダプテーションフィールドの有無及びペイロードの有無を示す２ビットのアダプテーションフィールド制御（ａｄａｐｔａｔｉｏｎ＿ｆｉｅｌｄ＿ｃｏｎｔｒｏｌ）と、ＰＩＤをもつパケットが途中で一部棄却されたかどうかを受信カウントの連続性で検出するための４ビットの巡回カウンタ（ｃｏｎｔｉｎｕｉｔｙ＿ｃｏｕｎｔｅｒ）とからなる。
【００４３】
アダプテーションフィールドは、個別ストリームに関する付加情報を伝送するためのものである。アダプテーションフィールドは、アダプテーションフィールド長と、不連続表示と、ランダムアクセス表示と、ストリーム優先表示と、オプショナルフィールドに対するフラグと、オプショナルフィールドと、スタッフィングバイトとからなる。
【００４４】
トランスポートストリームには、ビデオやオーディオ、字幕等のデータのパケットの他に、ＰＳＩやＳＩのセクション形式のテーブルで記述された情報のパケットが含められる。
【００４５】
ＰＳＩは、所望の放送のチャンネルを選択して受信する等、システムで必要な情報が記述されている。
【００４６】
ＰＳＩとしては、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎ  Ａｃｃｅｓｓ  Ｔａｂｌｅ）等がある。
【００４７】
ＮＩＴには、全搬送波に同一の内容が多重されており、搬送波毎の伝送諸元（偏波面、キャリア周波数、畳み込みレート等）と、そこに多重化されているチャンネルのリストが記述されている。このＮＩＴのセクションのパケットのＰＩＤは（ＰＩＤ＝０ｘ００１０）とされている。
【００４８】
ＰＡＴは、各搬送波毎に固有の内容の情報が記述されており、各搬送波内のチャンネル情報と、各チャンネルの中身を示すＰＭＴのＰＩＤが記述されている。このＰＡＴのセクションのパケットのＰＩＤは、（ＰＩＤ＝０ｘ００００）である。
【００４９】
ＰＭＴ（Ｐｒｏｇｒａｍ  Ｍａｐ  Ｔａｂｌｅ  ）は、各チャンネルを構成するコンポーネントと、デスクランブルに必要なＥＣＭパケット等のＰＩＤが記述されている。このＰＭＴのセクションのパケットのＰＩＤは、ＰＡＴで指定される。
【００５０】
ＣＡＴ（Ｃｏｎｄｉｔｉｏｎ  Ａｃｃｅｓｓ  Ｔａｂｌｅ）は、ＥＣＭ及びＥＭＭのパケット等のＰＩＤが記述されており、ＣＡＴのセクションのパケットのＰＩＤは、（  ＰＩＤ＝０ｘ０００１）である。
【００５１】
ＳＩとしては、ＥＩＴ（Ｅｖｅｎｔ  Ｉｎｆｏｒｍａｔｉｏｎ  Ｔａｂｌｅ）やＳＤＴ（Ｓｅｒｖｉｃｅ  Ｄｅｓｃｒｉｐｔｉｏｎ  Ｔａｂｌｅ）がある。ＥＩＴは、番組の詳細情報及び放送予定時間等が記述されている。ＥＰＧ（Ｅｌｅｃｔｒｏｎｉｃ  Ｐｒｏｇｒａｍ  Ｇｕｉｄｅ）や録画予約に用いられる。ＥＩＴのセクションのパケットのＰＩＤは（ＰＩＤ＝０Ｘ００１２）である。
【００５２】
図１における放送局１から送信された信号は各家庭の受信機２で受信される。各家庭の受信機２で、この受信信号から、ＴＳパケットが復調され、このＴＳパケットから、ビデオＰＥＳパケットとオーディオＰＥＳパケットが取り出され、このビデオＰＥＳパケット及びオーディオＰＥＳパケットからビデオ信号及びオーディオ信号がデコードされる。また、この受信信号からデータパケットが取り出され、データパケットがデコードされる。
【００５３】
受信機２でデコードされたビデオ信号及びオーディオ信号は、モニタとしてのテレビジョン受像機３に供給される。テレビジョン受像機３で、このビデオ信号に基づく画面が再生されると共に、その再生音が出力される。また、テレビジョン受像機３で、ブラウザを使ってデータ放送が閲覧される。
【００５４】
なお、ここでは、ディジタル放送の受信機２とテレビジョン受像機３とを別体にしているが、ディジタル放送の受信機がテレビジョン受像機に内蔵されている場合もある。
【００５５】
また、受信機２には、ディジタルＶＣＲ（Ｖｉｄｅｏ  Ｃａｓｓｅｔｔｅ  Ｒｅｃｏｒｄｅｒ）や、ＨＤＤ（Ｈａｒｄ  Ｄｉｓｋ  Ｄｒｉｖｅ）等のビデオ記録再生機能が内蔵されているものや、プリンタが内蔵されているものがある。ビデオ記録再生装置が内蔵されている場合には、衛星放送チューナで受信した画像や音声を記録再生することができる。また、プリンタが内蔵されている場合には、所望の静止画像をプリントアウトすることができる。
【００５６】
また、受信機２には、各種の機器を外付けできるものがある。例えば、受信機２には、ビデオ記録再生装置５を接続することができる。ビデオ記録再生装置５としては、ディジタルＶＣＲ（Ｖｉｄｅｏ  Ｃａｓｓｅｔｔｅ  Ｒｅｃｏｒｄｅｒ）や、ＨＤＤ（Ｈａｒｄ  Ｄｉｓｋ  Ｄｒｉｖｅ）を用いたビデオ記録再生装置等がある。また、受信機２にプリンタ６を接続し、放送中の動画像から静止画を取り込み、この静止画像をプリントアウトすることが可能である。更に、受信機２にパーソナルコンピュータ７を接続することができる。その他、受信機２に各種の周辺機器を接続することができる。
【００５７】
受信機２にビデオ記録再生装置５を接続すると、放送で送られてきた動画像をビデオ記録再生装置５で記録することができる。また、ビデオ記録再生装置５に記録された動画像をフリーズさせて静止画像を取り出し、この静止画像を記録することができる。
【００５８】
また、受信機２にプリンタ６を接続すると、所望の静止画像をプリントアウトすることができる
【００５９】
また、受信機２にパーソナルコンピュータ７を接続すると、受信機２で復調されたデータをパーソナルコンピュータ７に送ることで、パーソナルコンピュータ７のＨＤＤに、放送で送られてきた動画像や、データ放送で送られてきたマルチメディアのデータを記録させることができる。パーソナルコンピュータ７のＨＤＤに記録された動画像は、編集や加工を行ったり、静止画を取り込むことができる。パーソナルコンピュータ７で取り込んだ静止画像をユーザのホームに貼り付けて利用することも考えられる。また、パーソナルコンピュータ７で取り込んだ静止画像は、ＣＤ−Ｒ（Ｃｏｍｐａｃｔ  Ｄｉｓｃ  Ｒｅｃｏｒｄａｂｌｅ）やフラッシュメモリカード等の記録媒体にコピーすることができる。
【００６０】
このように、放送で送られてきた動画像は、内蔵の或いは外付けの各種のビデオ記録再生装置で記録できる。また、放送で送られてきた動画像をフリーズさせて取り出された静止画や、データ放送で送られてきた静止画は、内蔵の或いは外付けの各種のビデオ記録再生装置で記録でき、また、その静止画像をプリントアウトすることができる。しかしながら、放送で送られてきた動画や静止画が自由にコピーされると、著作者の権利が守られなくなる。また、放送で送られてきた静止画が自由にプリントアウトされたり、ユーザのホームページに貼り付けられると、著作者の権利が守られなくなる。
【００６１】
そこで、この例では、動画像に対する著作権保護として、ディジタルコピー制御記述子（ｄｉｇｉｔａｌ＿ｃｏｐｙ＿ｃｏｎｔｒｏｌ＿ｄｅｓｃｒｉｐｔｏｒ）及びコンテント利用記述子（ｃｏｎｔｅｎｔ＿ａｖａｉｌａｂｉｌｉｔｙ＿ｄｅｓｃｒｉｐｔｏｒ）が使用される。また、静止画に対する著作権保護として、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が使用される。
【００６２】
ディジタルコピー制御記述子（ｄｉｇｉｔａｌ＿ｃｏｐｙ＿ｃｏｎｔｒｏｌ＿ｄｅｓｃｒｉｐｔｏｒ）は、図３に示すように、ｄｉｇｉｔａｌ＿ｒｅｃｏｒｄｉｎｇ＿ｃｏｎｔｒｏｌ＿ｄａｔａの２ビットがコピー制御のためのものであり、この２ビットが「００」ならコピーフリー、「１１」ならコピー禁止、「１０」なら一世代のみコピーが許可される。コンテント利用記述子（ｃｏｎｔｅｎｔ＿ａｖａｉｌａｂｉｌｉｔｙ＿ｄｅｓｃｒｉｐｔｏｒ）は、図４に示すように、動画像をアナログ出力する場合に解像度を制限するｉｍａｇｅ＿ｃｏｎｓｔｒａｉｎ＿ｔｏｋｅｎと、コピー禁止の動画像を一時的に記録したときの記録時間を制限するかどうかを示すｒｅｔｅｎｔｉｏｎ＿ｍｏｄｅと、その動画像を一時的に記録したときの記録時間を制限するｒｅｔｅｎｔｉｏｎ＿ｓｔａｔｅとを含む。
【００６３】
静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）は、図５に示すように、各コントロールを有効にするフラグ（ｉｍａｇｅ＿ｒｅｓｏｌｕｔｉｏｎ＿ｃｏｎｔｒｏｌ，ｒｅｃｏｒｄｉｎｇ＿ｃｏｎｔｒｏｌ，ｐｒｉｎｔ＿ｃｏｎｔｒｏｌ，ｅｘｐｒａｔｉｏｎ＿ｆｌａｇ）と、各フラグに対するコントロール、すなわち、静止画の出力解像度（画素数）を制限する（ｍａｘｉｍｕｍ＿ｈｏｒｉｚｏｎｔａｌ＿ｐｉｘｅｌ＿ｎｕｍｂｅｒ，ｍａｘｉｍｕｍ＿ｖｅｒｔｉｃａｌ＿ｐｉｘｅｌ＿ｎｕｍｂｅｒ）と、記録を制限する（ｒｅｃｏｒｄ＿ｐｒｏｈｉｂｉｔｅｄ，ｒｅｃｏｒｄｉｎｇ＿ｓｅｃｕｒｉｔｙ，ｐｒｉｎｔ＿ｐｒｏｈｉｂｉｔｅｄ，ｒｅｃｏｒｄｉｎｇ＿ｃｏｎｓｔｒａｉｎ＿ｂｉｔ，ｎｕｍｂｅｒ＿ｏｆ＿ｒｅｃｏｒｄｉｎｇ）と、プリントアウトを制限する（ｐｒｉｎｔ＿ｐｒｏｈｉｂｉｔｅｄ，ｐｒｉｎｔ＿ｃｏｎｓｔｒａｉｎｔ＿ｂｉｔ，ｎｕｍｂｅｒ＿ｏｆ＿ｐｒｉｎｔ）と、画像を一時的に記録したときの記録時間を制限するｅｘｐｉｒａｔｉｏｎ＿ｄａｔｅとを含む。また、ＥＩＴやＳＤＴに記述するために、ｃｏｍｐｏｎｅｎｔ＿ｆｌａｇと、ｃｏｍｐｏｎｅｎｔ＿ｔａｇが設けられる。なお、この静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）については後に詳述する。
【００６４】
図１における放送局１からは、ＭＰＥＧ２−ＴＳでディジタル放送の信号が送信される。このＭＰＥＧ２−ＴＳのストリームには、前述したように、ビデオやオーディオ、字幕等のデータのパケットの他に、ＰＳＩやＳＩのセクション形式のテーブルで記述された情報のパケットが含められる。
【００６５】
放送局１から放送を送信する際に、著作権の保護を図る必要があるときには、それに基づいて、ディジタルコピー制御記述子（ｄｉｇｉｔａｌ＿ｃｏｐｙ＿ｃｏｎｔｒｏｌ＿ｄｅｓｃｒｉｐｔｏｒ）や、コンテント利用記述子（ｃｏｎｔｅｎｔ＿ａｖａｉｌａｂｉｌｉｔｙ＿ｄｅｓｃｒｉｐｔｏｒ）、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が記述される。
【００６６】
すなわち、動画像については、コピーフリーか、コピー禁止か、１世代のみコピー可かどうかが確認され、これに基づいて、ディジタルコピー制御記述子（ｄｉｇｉｔａｌ＿ｃｏｐｙ＿ｃｏｎｔｒｏｌ＿ｄｅｓｃｒｉｐｔｏｒ）が記述され、このディジタルコピー制御記述子（ｄｉｇｉｔａｌ＿ｃｏｐｙ＿ｃｏｎｔｒｏｌ＿ｄｅｓｃｒｉｐｔｏｒ）がＰＭＴに含められる。また、保存された画像をアナログ出力する場合に解像度に応じて、コンテント利用記述子（ｃｏｎｔｅｎｔ＿ａｖａｉｌａｂｉｌｉｔｙ＿ｄｅｓｃｒｉｐｔｏｒ）のｉｍａｇｅ＿ｃｏｎｓｔｒａｉｎ＿ｔｏｋｅｎが記述され、記録禁止の動画像を一時的に記録したときの記録時間を制限に応じて、ｒｅｔｅｎｔｉｏｎ＿ｍｏｄｅとｒｅｔｅｎｔｉｏｎ＿ｓｔａｔｅとが記述される。また、コンテンツをディジタル出力する場合に暗号化するかどうかに応じて、ｅｎｃｒｙｐｔｉｏｎ＿ｍｏｄｅが記述される。このコンテント利用記述子（ｃｏｎｔｅｎｔ＿ａｖａｉｌａｂｉｌｉｔｙ＿ｄｅｓｃｒｉｐｔｏｒ）がＰＭＴに含められる。また、番組予約のときに著作権情報を送るために、ディジタルコピー制御記述子（ｄｉｇｉｔａｌ＿ｃｏｐｙ＿ｃｏｎｔｒｏｌ＿ｄｅｓｃｒｉｐｔｏｒ）がＥＩＴやＳＤＴに含められる。
【００６７】
静止画については、画像を出力する場合の解像度の制限に応じて、ｉｍａｇｅ＿ｒｅｓｏｌｕｔｉｏｎ＿ｃｏｎｔｒｏｌと、ｍａｘｉｍｕｍ＿ｈｏｒｉｚｏｎｔａｌ＿ｐｉｘｅｌ＿ｎｕｍｂｅｒ、ｍａｘｉｍｕｍ＿ｖｅｒｔｉｃａｌ＿ｐｉｘｅｌ＿ｎｕｍｂｅｒとが記述される。記録の制限に応じて、ｒｅｃｏｒｄｉｎｇ＿ｃｏｎｔｒｏｌと、ｒｅｃｏｒｄ＿ｐｒｏｈｉｂｉｔｅｄ、ｒｅｃｏｒｄｉｎｇ＿ｓｅｃｕｒｉｔｙ、ｐｒｉｎｔ＿ｐｒｏｈｉｂｉｔｅｄ、ｒｅｃｏｒｄｉｎｇ＿ｃｏｎｓｔｒａｉｎ＿ｂｉｔ、ｎｕｍｂｅｒ＿ｏｆ＿ｒｅｃｏｒｄｉｎｇが記述される。プリントアウトの制限に応じて、ｐｒｉｎｔ＿ｃｏｎｔｒｏｌと、ｐｒｉｎｔ＿ｐｒｏｈｉｂｉｔｅｄ、ｐｒｉｎｔ＿ｃｏｎｓｔｒａｉｎｔ＿ｂｉｔ、ｎｕｍｂｅｒ＿ｏｆ＿ｐｒｉｎｔが記述される。画像を一時的に記録したときの記録時間の制限に応じて、ｅｘｐｉｒａｔｉｏｎ＿ｆｌａｇと、ｅｘｐｉｒａｔｉｏｎ＿ｄａｔｅが記述される。この静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＰＭＴに含められる。また、番組予約のときに著作権情報を送るために、この静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＥＩＴやＳＤＴに含められる。なお、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＥＩＴやＳＤＴに含める場合には、番組全体のコンテンツの著作権情報を指定すること及び、ｃｏｍｐｏｎｅｎｔ＿ｆｌａｇとｃｏｍｐｏｎｅｎｔ＿ｔａｇとを用いて著作権保護を行うＥＳ（Ｅｌｅｍｅｎｔａｒｙ  Ｓｔｒｅａｍ）を指定する。
【００６８】
受信機２では、放送局１から送られてきた動画像を内蔵の或いは外付けのビデオ記録再生装置で記録する際に、ＰＭＴで送られてきたディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）が判断される。そして、このディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）の記述に基づいて、コピーの制限や、解像度、記録媒体にコピー禁止のコンテンツを一次記録する場合の時間、高速ディジタルへの出力データを暗号化して出力するかどうかが制御される。
【００６９】
また、放送で送られてきた動画像から取り出された静止画や、データ放送で送られてきた静止画を、内蔵の或いは外付けの各種のビデオ記録再生装置に記録したり、その静止画像をプリントアウトしたりする際には、ＰＭＴで送られてきた静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）に応じて、画像を出力する場合の解像度の制限、記録の制限、プリントアウトの制限、一時的に記録したときの記録時間の制限が行われる。
【００７０】
また、番組予約のときには、ＥＩＴやＳＤＴで送られてきたディジタルコピー制御記述子（ｄｉｇｉｔａｌ＿ｃｏｐｙ＿ｃｏｎｔｒｏｌ＿ｄｅｓｃｒｉｐｔｏｒ）や静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）に応じて、予約の制限が行われる。
【００７１】
このように、放送局１から放送を送信する際に、著作権の保護を図る必要があるときには、それに基づいて、ディジタルコピー制御記述子（ｄｉｇｉｔａｌ＿ｃｏｐｙ＿ｃｏｎｔｒｏｌ＿ｄｅｓｃｒｉｐｔｏｒ）や、コンテント利用記述子（ｃｏｎｔｅｎｔ＿ａｖａｉｌａｂｉｌｉｔｙ＿ｄｅｓｃｒｉｐｔｏｒ）、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が記述される。ディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）ばかりでなく、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を使うことで、動画ばかりでなく、静止画についても著作権の保護を図ることができる。
【００７２】
図６は、この発明が適法できる受信機の具体的な構成を示すものである。この例は、ディジタルＢＳ放送の受信を行うものである。
【００７３】
図１において、例えば１２ＧＨｚ帯の電波で衛星を介して送られてくるディジタル衛星放送の電波は、パラボラアンテナ１１で受信され、パラボラアンテナ１１に取り付けられたＬＮＢ（Ｌｏｗ  Ｎｏｉｓｅ  Ｂｌｏｃｋ  Ｄｏｗｎ  Ｃｏｎｖｅｒｔｅｒ）１２で、例えば、１ＧＨｚ帯の第一中間周波信号に変換される。このＬＮＢ１２の出力がケーブル１３を介してチューナ回路１４に供給される。
【００７４】
チューナ回路１４には、マイクロプロセッサ３５から選局信号が供給される。チューナ回路１４により、マイクロプロセッサ３５からの選局信号に基づいて、受信信号の中から、所望の搬送波周波数の信号が選択され、選択された受信信号の搬送波周波数の信号が第二中間周波信号に変換される。
【００７５】
チューナ回路１４からの中間周波信号がＩＦ（Ｉｎｔｅｒｍｅｄｉａｔｅ  Ｆｒｅｑｕｅｎｃｙ）回路１５に供給される。ＩＦ回路１５により、チューナ回路１４からの中間周波信号が増幅される。ＩＦ回路１５の出力が復調回路１６に供給される。
【００７６】
復調回路１６では、ＢＰＳＫ（Ｂｉｎａｒｙ  Ｐｈａｓｅ  Ｓｈｉｆｔ  Ｋｅｙｉｎｇ  ）と、ＱＰＳＫ（Ｑｕａｄｒａｔｕｒｅ  Ｐｈａｓｅ  Ｓｈｉｆｔ  Ｋｅｙｉｎｇ  ）と、８ＰＳＫ（８相ＰＳＫ）の復調処理が行える。
【００７７】
すなわち、ディジタルＢＳ放送では、ＢＰＳＫと、ＱＰＳＫと、８ＰＳＫとにより、階層化伝送が行われている。８ＰＳＫ変調では、１シンボル当たりの情報量は増えるが、降雨による減衰があると、エラーレートが悪化する。これに対して、ＢＰＳＫやＱＰＳＫでは、１シンボル当たりの情報量は少なくなるが、降雨による減衰があっても、エラーレートはさほど低下しない。
【００７８】
送信側では、複数のＴＳパケットを１スロットに対応させて、各ＴＳパケットが４８スロットで構成されるフレームにマッピングされる。各スロット毎に、変調方式や符号化方式を割り当てることができる。各スロットに割り当てられた変調方式の種別や符号化率は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号により送られる。そして、８フレームを単位としてスーパーフレームが構成され、スロットの位置毎にインターリーブが行われる。
【００７９】
復調回路１６で、トランスポートストリームが復調される。この復調回路１６の出力は、ビタビ復号回路１７に供給される。ビタビ復号回路１７で、内符号のエラー訂正処理が行われる。ビタビ復号回路１７の出力がエラー訂正回路１８に供給される。エラー訂正回路１８で、外符号のエラー訂正処理が行われる。
【００８０】
すなわち、ディジタルＢＳ放送では、エラー訂正符号化方式としては、外符号にリード・ソロモン符号（２０４，１８８）、内符号に、トレリス符号、畳み込み符号が用いられる。ビタビ復号回路１７により、内符号のエラー訂正処理が行われる。リード・ソロモン符号によるエラー訂正回路１８により、外符号のエラー訂正処理が行われる。
【００８１】
エラー訂正回路１８の出力がデスクランブラ１９に供給される。デスクランブラ１９で、ＣＡＳ（Ｃｏｎｄｉｔｉｏｎ  Ａｃｃｅｓｓ  Ｓｙｓｔｅｍ  ）制御が行われる。
【００８２】
つまり、限定受信の場合には、トランスポートストリームに暗号化が施されている。個人情報はＩＣカード２０に格納されており、ＩＣカード２０は、カードインターフェース２１を介して装着される。
【００８３】
デスクランブラ１９には、受信されたＥＣＭ（Ｅｎｃｒｙｐｔｉｏｎ  Ｃｏｎｔｒｏｌ  Ｍｅｓｓａｇｅ）及びＥＭＭ（Ｅｎｔｉｔｌｅｍｅｎｔ  Ｍａｎａｇｅｍｅｎｔ  Ｍｅｓｓａｇｅ）のセクションの情報と、ＩＣカード２０に記憶されているデスクランブル用のデータから、スクランブルを解除するための情報が供給される。限定受信の場合には、デスクランブラ１９は、受信されたＥＣＭやＥＭＭと、ＩＣカード２０の情報を用いて、デスクランブルが行われる。
【００８４】
また、モデム２２が設けられ、課金情報がモデム２２を介して、電話回線により、番組の放送センタに送られる。
【００８５】
デスクランブラ１９でデスクランブルされたトランスポートストリームは、デマルチプレクサ２３に送られる。
【００８６】
デマルチプレクサ２３は、受信されたトランスポートストリームの中から、所望のパケットのストリームを分離するものである。パケットのヘッダ部にはパケット識別子（ＰＩＤ）が記述されている。デマルチプレクサ２３で、このＰＩＤに基づいて、所望のプログラムのビデオＰＥＳ（Ｐａｃｋｅｔｉｚｅｄ  Ｅｌｅｍｅｎｔａｒｙ  Ｓｔｒｅａｍ）パケット、オーディオＰＥＳパケット、データパケット、ＰＳＩ（Ｐｒｏｇｒａｍ  Ｓｐｅｃｉｆｉｃ  Ｉｎｆｏｒｍａｔｉｏｎ）及びＳＩ（Ｓｅｒｖｉｃｅ  Ｉｎｆｏｒｍａｔｉｏｎ）のパケットに、各パケットが分離される。
【００８７】
所望のプログラムのビデオＰＥＳパケットは、ビデオデコーダ２４に送られ、オーディオＰＥＳパケットは、オーディオデコーダ２５に送られる。また、デマルチプレクサ２３からのストリームは、バス３７を介して、マイクロプロセッサ３５に送られる。
【００８８】
ビデオデコーダ２４は、デマルチプレクサ２３からのビデオＰＥＳパケットを受け取り、ＭＰＥＧ２方式のデコード処理を行って、ビデオ信号を再生するものである。再生されたビデオ信号は、出力端子２６から出力される。
【００８９】
オーディオデコーダ２５は、デマルチプレクサ２３からのオーディオＰＥＳパケットを受け取り、ＭＰＥＧ２−ＡＡＣ（ＭＰＥＧ２  Ａｄｖａｎｃｅｄ  Ａｕｄｉｏ  Ｃｏｄｉｎｇ  ）のデコード処理を行って、オーディオ信号を形成するものである。再生されたオーディオ信号は、出力端子２７から出力される。
【００９０】
操作入力は、入力キー２８により与えられる。入力キー２８は、例えば、受信装置のパネルに配置される各種のキーやスイッチである。また、操作入力は、赤外線リモートコントローラ３０により行うことができ、赤外線リモートコントローラ３０からの赤外線コマンド信号を受光する受光部３１が設けられ、受光部３１からの信号がマイクロプロセッサ３５に送られる。
【００９１】
各種の設定状態が表示部２９に表示される。表示部２９は、例えば、パネルに配設される液晶ディスプレイや、ＬＥＤ（Ｌｉｇｈｔ  Ｅｍｉｔｔｉｎｇ  Ｄｉｏｄｅ）素子である。更に、マイクロプロセッサ３５からの表示信号はＯＳＤ（Ｏｎ  Ｓｃｒｅｅｎ  Ｄｉｓｐｌａｙ）回路３２に供給され、ＯＳＤ回路３２の出力が加算器３３により、ビデオ信号に合成される。これにより、各種の設定状態を受像画面中に重畳表示させることができる。
【００９２】
この受信機には、受信した動画像を記録再生するＨＤＤ（Ｈａｒｄ  Ｄｉｓｋ  Ｄｒｉｖｅ）４１が内蔵される。デマルチプレクサ２３からのトランスポートストリームは、バス３７、ＨＤＤコントローラ４０を介して、ＨＤＤ４１に供給される。ＨＤＤ４１に、このストリームが記録される。また、再生時には、ＨＤＤ４１から再生されたストリームは、ＨＤＤコントローラ４０、バス３７を介して、デマルチプレクサ２３に送られる。
【００９３】
また、この受信機には、データを入力出力するためのＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インターフェース４２が設けられる。デマルチプレクサ２３からのトランスポートストリームは、バス３７、ＩＥＥＥ１３９４インターフェース４２、又はデマルチプレクサから接続される信号線を介して出力することができる。また、ＩＥＥＥ１３９４インターフェース４２を介して他の機器から転送されてきたトランスポートストリームを入力することができる。
【００９４】
ＩＥＥＥ１３９４インターフェース４２には、ディジタルＶＣＲやＨＤＤビデオ記録再生装置等のビデオ記録再生装置を接続し、放送で送られてきた動画像をディジタルＶＣＲやＨＤＤビデオ記録再生装置等のビデオ記録再生装置に記録できる。また、ＩＥＥＥ１３９４のインターフェース４２にプリンタを接続し、放送中の動画像から静止画を取り込み、この静止画像をプリントアウトすることが可能である。更に、ＩＥＥＥ１３９４インターフェース４２にパーソナルコンピュータを接続し、パーソナルコンピュータで、動画像から切り出した静止画やデータ放送で送られてきた静止画を保存したり、メモリカード等の他の記録媒体にコピーすることができる。
【００９５】
マイクロプロセッサ３５では、放送局１から送られてきた動画像を内蔵のＨＤＤ４１やインターフェース４２に接続されたビデオ記録再生装置で記録する際に、ＰＭＴで送られてきたディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）が判断される。そして、このディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）の記述に基づいて、コピーの制限等の著作権処理が行われる。
【００９６】
また、放送で送られてきた動画像から取り出された静止画や、データ放送で送られてきた静止画を、内蔵のＨＤＤ４１やインターフェース４２に接続されたビデオ記録再生装置に記録したり、その静止画像をインターフェース４２に接続されたプリンタにプリントアウトしたりする際には、ＰＭＴで送られてきた静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）に応じて、印刷や記録の制限等の著作権処理が行われる。
【００９７】
また、番組予約のときには、ＥＩＴやＳＤＴで送られてきたディジタルコピー制御記述子（ｄｉｇｉｔａｌ＿ｃｏｐｙ＿ｃｏｎｔｒｏｌ＿ｄｅｓｃｒｉｐｔｏｒ）や静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）により動画や静止画の著作権情報が知らされ、これに応じて予約設定処理が行われる。
【００９８】
なお、ここでは、ディジタルＢＳ放送の受信機の例について説明したが、ディジタル地上波放送やディジタルＣＡＴＶの受信機でも、変調方式やエラー訂正方式は異なるが、基本構成は同様である。ディジタル地上波放送の場合には、変調方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）が用いられる。ディジタルＣＡＴＶでは、変調方式として、多値ＱＡＭ（Ｑｕａｄｒａｔｕｒｅ  Ａｍｐｌｉｔｕｄｅ  Ｍｏｄｕｌａｔｉｏｎ）が用いられる。
【００９９】
次に、図５に示した静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）について詳述する。静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）は、ＰＭＴ又はＥＩＴ、ＳＤＴに記述される。ＰＭＴは図７に示すように構成され、ＥＩＴは図８に示すように構成され、ＳＤＴは図９に示すように構成される。
【０１００】
静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）は、ＰＭＴのファーストループと、ＥＳループとに配置できる。
【０１０１】
ＰＭＴのファーストループに記述子を配置する場合は、指定されたプログラムに含まれる静止画の全てに対してこの制限を適応することが可能となる。ＰＭＴのＥＳループに記述子を配置する場合は、指定されたＥＳの静止画に対してのみに記述子の制限を適応することが可能となる。ファーストループとＥＳループ両方に記述子を配置した場合は、ＥＳループの記述子の制限が、指定されたＥＳにのみファーストループの記述子より優先されることとする。この場合、他のＥＳループに記述子が無い場合は、ファーストループの記述子の制限を適応することとする。
【０１０２】
ＥＩＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を配置する場合には、ＥＩＴの番組情報中に記述される。
【０１０３】
ＳＤＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を配置する場合には、そのチャンネル全ての番組に静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）の情報を適応する。
【０１０４】
ＥＩＴとＳＤＴ両方に記述子を配置した場合は、ＥＩＴの情報が指定された番組に適応されることとする。ＥＩＴに記述子が無く、ＳＤＴにのみ記述子が配置された場合には、その番組はＳＤＴの記述子の情報が適応されることとする。
【０１０５】
図５に示すように、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）は、フラグ（ｉｍａｇｅ＿ｒｅｓｏｌｕｔｉｏｎ＿ｃｏｎｔｒｏｌ，ｒｅｃｏｒｄｉｎｇ＿ｃｏｎｔｒｏｌ，ｐｒｉｎｔ＿ｃｏｎｔｒｏｌ，ｅｘｐｉｒａｔｉｏｎ＿ｄａｔｅ＿ｆｌａｇ，ｃｏｍｐｏｎｅｎｔ＿ｆｌａｇ）と、各フラグに対するｉｆ文以下のコントロールがある。フラグに「１」が立つと、下のｉｆ文が有効となり、ｉｆ文の条件にしたがって静止画を制御する必要がある。なお、ｃｏｍｐｏｎｅｎｔ＿ｆｌａｇ及びｃｏｍｐｏｎｅｎｔ＿ｔａｇは、ＥＩＴ及びＳＤＴに記述子を配置する場合にのみ配置される。
【０１０６】
ｉｍａｇｅ＿ｒｅｓｏｌｕｔｉｏｎ＿ｃｏｎｔｒｏｌビットは、ディスプレイの解像度（画素数）を制限するものである。ｉｍａｇｅ＿ｒｅｓｏｌｕｔｉｏｎ＿ｃｏｎｔｒｏｌビットが「１」となると、受信機が接続される表示デバイス（受信機とテレビジョン受像機とが別体の場合にはモニタとなるテレビジョン受像機の画面、受信機を内蔵するテレビが受信機の場合はそのテレビジョン受像機の画面）以外の全ての条件において指定された画素数に画素制限を行う必要がある。よって、プリンタ、記録媒体への記録のために静止画を出力する場合、ｉｆ文で定義された最大ピクセルサイズに画素制限を行う必要がある。ｉｍａｇｅ＿ｒｅｓｏｌｕｔｉｏｎ＿ｃｏｎｔｒｏｌビットが「０」に設定されている場合は、ｉｆ文がｄｅｓｃｒｉｐｔｏｒに現れない。オリジナルの画像が指定される画素サイズより下回る場合は、この制限が指定されていても制限を行う必要は無い。Ｉｆ文のｍａｘｉｍｕｍ＿ｈｏｒｉｚｏｎｔａｌ＿ｐｉｘｅｌ＿ｎｕｍｂｅｒとｍａｘｉｍｕｍ＿ｖｅｒｔｉｃａｌ＿ｐｉｘｅｌ＿ｎｕｍｂｅｒに１６ビットづつビットがアサインされ、１６進数で制限する最大の画素サイズを記述する。例えば、静止画の出力画像をＳＶＧＡ（Ｓｕｐｅｒ  Ｖｉｄｅｏ  Ｇｒａｐｈｉｃ  Ａｒｒａｙ  ）サイズに上限を設定したい場合は、ｍａｘｉｍｕｍ＿ｈｏｒｉｚｏｎｔａｌ＿ｐｉｘｅｌ＿ｎｕｍｂｅｒを０ｘ３２０の値を、ｍａｘｉｍｕｍ＿ｖｅｒｔｉｃａｌ＿ｐｉｘｅｌ＿ｎｕｍｂｅｒに０ｘ０２５８の値を記述する。
【０１０７】
なお、データ放送で送られてきた静止画のうち、文字などの解像度制限する必要の無いグラフィックス信号のみに解像度の制限を適応しないことも可能としている。
【０１０８】
ｒｅｃｏｒｄｉｎｇ＿ｃｏｎｔｒｏｌビットは、記録媒体への記録を制限するものである。ｒｅｃｏｒｄｉｎｇ＿ｃｏｎｔｒｏｌビットが「１」となると、受信機が内蔵又は外部接続される記録媒体に静止画を記録する場合、ｉｆ文で定義されたビットに従って制御を行う必要がある。ビットが「０」となると、下のｉｆ分（ｉｆ（ｒｅｃｏｒｄｉｎｇ＿ｃｏｎｔｒｏｌ＝＝０））は現れない。ｒｅｃｏｒｄ＿ｐｒｏｈｉｂｉｔｅｄビットが「１」となると、記録媒体への記録を禁止することを意味する。この場合、次に続くｒｅｃｏｒｄｉｎｇ＿ｓｅｃｕｒｉｔｙ、ｐｒｉｎｔ＿ｐｒｏｈｉｂｉｔｅｄビットは、いかなる値であっても無効となる。
【０１０９】
ｒｅｃｏｒｄ＿ｐｒｏｈｉｂｉｔｅｄビットに「０」が記述されると、記録が許可され、次に続くｒｅｃｏｒｄｉｎｇ＿ｓｅｃｕｒｉｔｙビット、及びｐｒｉｎｔ＿ｐｒｏｈｉｂｉｔｅｄビットが有効となる。
【０１１０】
ｒｅｃｏｒｄｉｎｇ＿ｓｅｃｕｒｉｔｙビットが「１」となると、記録媒体にセキュリティ技術が搭載されている場合に限って記録を行うことができる。この場合、セキュリティ技術が無いメモリデバイスに記録を行うことはできない。セキュリティ技術が搭載されている記録媒体は、具体的にはメモリスティック（登録商標）である。メモリスティック（登録商標）には、セキュリティが搭載されたＭａｇｉｃ  Ｇａｔｅ（登録商標）のメモリスティックと、セキュリティが搭載されてい青色メモリスティック（登録商標）がある。ｒｅｃｏｒｄｉｎｇ＿ｓｅｃｕｒｉｔｙビットが「０」となると、静止画記録にセキュリティ技術は要求されない。
【０１１１】
次のｐｒｉｎｔ＿ｐｒｏｈｉｂｉｔｅｄビットは、記録された画像をプリントアウトすることに制限を与えるビットである。ｐｒｉｎｔ＿ｐｒｏｈｉｂｉｔｅｄに「１」が記載されると、プリントアウトが禁止され、「０」が記載されるとプリントアウトが許可される。このビットは、ｒｅｃｏｒｄｉｎｇ＿ｓｅｃｕｒｉｔｙビットが「１」になったときに、静止画記録セキュリティ技術にプリントアウトの制限があり、このビットを継承して記録することができるデバイスのみに記録を許可することを意味する。よって、セキュリティ技術にプリントアウトに対する制限が無い記録メディアに対しては記録が許可されない。また、このビットはｒｅｃｏｒｄｉｎｇ＿ｓｅｃｕｒｉｔｙビットが「１」になったときにのみ有効なビットとなる。
【０１１２】
ｒｅｃｏｒｄｉｎｇ＿ｃｏｎｓｔｒａｉｎ＿ｂｉｔは、記録して良い回数の指定を有効にするかどうかを示すビットで、ｒｅｃｏｒｄｉｎｇ＿ｃｏｎｓｔｒａｉｎ＿ｂｉｔが「１」なら、ｎｕｍｂｅｒ＿ｏｆ＿ｒｅｃｏｒｄビットで示される回数だけ、記録が可能になる。ｎｕｍｂｅｒ＿ｏｆ＿ｒｅｃｏｒｄビットの８ビットには、記録可能な回数をダイレクトに定義することができる。例えば１０回記録可能な場合は、０ｘ０Ａを記載する。記録回数に制限を課さない場合は、ｒｅｃｏｒｄｉｎｇ＿ｃｏｎｓｔｒａｉｎ＿ｂｉｔを「０」に設定し、以下に続くｎｕｍｂｅｒ＿ｏｆ＿ｒｅｃｏｒｄビットの８ビットのエリアは無効となる。
【０１１３】
ｐｒｉｎｔ＿ｃｏｎｔｒｏｌフラグが「１」となった場合、下のｉｆ文が有効となる。「０」となったときには、下のｉｆ文（ｉｆ（ｐｒｉｎｔ＿ｃｏｎｔｒｏｌ＝＝１））は現れない。ｉｆ文内のｐｒｉｎｔ＿ｐｒｏｈｉｂｉｔｅｄビットが「１」となると、受信機に内蔵又は外付けされるプリンタに静止画をプリントすることを禁止する。このビットが「０」になったときのみにプリントが許可され、以下に続くｐｒｉｎｔ＿ｃｏｎｓｔｒａｉｎｔ＿ｂｉｔ、ｎｕｍｂｅｒ＿ｏｆ＿ｐｒｉｎｔビットが有効となる。ｐｒｉｎｔ＿ｃｏｎｓｔｒａｉｎｔ＿ｂｉｔが「１」となると、印刷に関しての制限が加わることを意味して、次に続くｎｕｍｂｅｒ＿ｏｆ＿ｐｒｉｎｔの枚数以上の印刷を行うことが禁止される。このビットが「０」となると、制限無く印刷を行うことが可能となる。ｎｕｍｂｅｒ＿ｏｒ＿ｐｒｉｎｔは、印刷を行う場合の枚数制限を示す。例えば２枚を上限にプリントを出力する場合は、０ｘ０２を記述する。
【０１１４】
ｅｘｐｉｒａｔｉｏｎ＿ｄａｔｅ＿ｆｌａｇは、期限を制限するビットである。ｅｘｐｉｒａｔｉｏｎ＿ｄａｔｅ＿ｆｌａｇが「１」となった場合、下のｉｆ文が有効となる。「０」となったときには、下のｉｆ文（ｉｆ（ｅｘｐｉｒａｔｉｏｎ＿ｆｌａｇ＝＝１））は現れない。Ｉｆ文内の４０ビットのｅｘｐｉｒａｔｉｏｎ＿ｄａｔｅは、ＡＲＩＢ  ＳＴＤ−Ｂ１０で定義され、ＴＯＴ（Ｔｉｍｅ  Ｏｆｆｓｅｔ  Ｔａｂｌｅ）のＪＳＴ＿Ｔｉｍｅで使われる日本標準時間と同じ定義とする。日本標準時間（ＪＳＴ）とは、「ＵＴＣ（世界標準時）＋９」時間と定義される。ｅｘｐｉｒｔａｉｏｎ＿ｄａｔｅが定義されると、定義された時間まで、プリント及び記録機能が有効となり、定義された時間を越えた場合、プリント及び記録を行ってはいけない。例えば、受信機にＨＤＤなどのデータ記録メディアが内蔵され、コンテンツを保持できる場合において、この制限時間が有効となる。また、記録メディアに制限時間の指定ができるものに関しては、この制限を継承することとする。
【０１１５】
ｃｏｍｐｏｎｅｎｔ＿ｆｌａｇは、ＥＳを指定するビットである。ｃｏｍｐｏｎｅｎｔ＿ｆｌａｇが「１」となった場合、下のｉｆ文が有効となる。「０」となったときには、下のｉｆ文（ｉｆ（ｃｏｍｐｏｎｅｎｔ＿ｆｌａｇ＝＝１））は現れない。このフラグは、ＰＭＴに記述子を配置する場合には使用せず、予約等のためにＥＩＴ又はＳＤＴに記述する場合で、ＥＳに静止画の著作権情報を送るときに、ＥＳを指定するために使用する。ｃｏｍｏｎｅｎｔ＿ｔａｇに指定するＥＳの値を入れることにより、プリントの予約、静止画記録の予約に使用することが可能となる。
【０１１６】
ところで、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を必ず入れるようにすると、コンテンツの送出者は、動画の著作権保護のためのディジタルコピー制御記述子（ｄｉｇｉｔａｌ＿ｃｏｐｙ＿ｃｏｎｔｒｏｌ＿ｄｅｓｃｒｉｐｔｏｒ）と、静止画のコピー制御のための静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を入れなければならなくなり、ディジタル放送の送出側の大きな負担となることが考えられる。ディジタル放送の送出側の負担を減らすために、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＰＭＴに配置されていない場合でも、静止画の著作権の保護が図られるようにすることが望まれる。
【０１１７】
このように静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＰＭＴに配置されていない場合の処理について説明する。
【０１１８】
静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＰＭＴに配置されていないときには、プリント、記録の機能を制限無く行うことができると定義することにする場合と、ディジタルコピー制御記述子（ｄｉｇｉｔａｌ＿ｃｏｐｙ＿ｃｏｎｔｒｏｌ＿ｄｅｓｃｒｉｐｔｏｒ）の著作権情報によって、デフォルトの値を定義することにする場合がある。この選択は、放送事業者定義とする。例えば、ＢＳディジタル放送の場合は、ディジタルコピー制御記述子の著作権情報によって、デフォルトの値を定義する選択をとることができる。
【０１１９】
静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＰＭＴに配置されていないときに、ディジタルコピー制御記述子（ｄｉｇｉｔａｌ＿ｃｏｐｙ＿ｃｏｎｔｒｏｌ＿ｄｅｓｃｒｉｐｔｏｒ）の著作権情報によって、デフォルトの値を定義する場合、以下のように定義される。
【０１２０】
例えば、ディジタルコピー制御記述子（ｄｉｇｉｔａｌ＿ｃｏｐｙ＿ｃｏｎｔｒｏｌ＿ｄｅｓｃｒｉｐｔｏｒ）がＰＭＴに配置されていなかった場合、又は、ディジタルコピー制御記述子がＰＭＴに配置されているが、記述子内のｄｉｇｉｔａｌ＿ｒｅｃｏｒｄｉｎｇ＿ｃｏｎｔｒｏｌ＿ｄａｔａが「００」の場合は、動画の著作権情報が「制限条件なしにコピー可」となるため、プリント、静止画記録についても「制約条件なしにプリント及び記録可能」と読み替えることとする。
【０１２１】
ｄｉｇｉｔａｌ＿ｒｅｃｏｒｄｉｎｇ＿ｃｏｎｔｒｏｌ＿ｄａｔａが「１０」の値をとる場合は、動画の著作権情報が「１世代のみコピー可能」となるため、プリントについては、１枚のみプリント可能（ｐｒｉｎｔ＿ｐｒｏｈｉｂｉｔｅｄ  ＝  ０、ｐｒｉｎｔ＿ｃｏｎｓｔｒａｉｎｔ＿ｂｉｔ  ＝  １、ｎｕｍｂｅｒ＿ｏｆ＿ｐｒｉｎｔ  ＝  ０００００１）と、記録についてはセキュリティが定義されている記録メディアにのみ記録可能（ｒｅｃｏｒｄ＿ｐｒｏｈｉｂｉｔｅｄ  ＝  ０、ｒｅｃｏｒｄｉｎｇ＿ｓｅｃｕｒｉｔｙ  ＝  １、ｐｒｉｎｔ＿ｐｒｏｈｉｂｉｔｅｄ  ＝  ０、ｎｕｍｂｅｒ＿ｏｆ＿ｒｅｃｏｒｄ  ＝  １）と定義する。
【０１２２】
ｄｉｇｉｔａｌ＿ｒｅｃｏｒｄｉｎｇ＿ｃｏｎｔｒｏｌ＿ｄａｔａ  ＝  １１で動画の著作権情報が「コピー禁止」の場合は、プリント禁止（ｐｒｉｎｔ＿ｐｒｏｈｉｂｉｔｅｄ  ＝  １）、記録禁止（ｒｅｃｏｒｄ＿ｐｒｏｈｉｂｉｔｅｄ  ＝  １）と定義する。また、ｄｉｇｉｔａｌ＿ｒｅｃｏｒｄｉｎｇ＿ｃｏｎｔｒｏｌ＿ｄａｔａがいかなる値をとった場合も、ｉｍａｇｅ＿ｒｅｓｏｌｕｔｉｏｎ及びｅｘｐｉｒａｔｉｏｎ＿ｄａｔｅの制限は無いと読み替える。なお、この読み替えは１つの例であり、事業者がｄｉｇｉｔａｌ＿ｒｅｃｏｒｄｉｎｇ＿ｃｏｎｔｒｏｌ＿ｄａｔａの各々の値について、読み替えの条件を設定することができる。また、ディジタルコピー制御記述子の、ｄｉｇｉｔａｌ＿ｃｏｐｙ＿ｃｏｎｔｒｏｌ＿ｄａｔａだけでなく、ｃｏｐｙ＿ｃｏｎｔｒｏｌ＿ｔｙｐｅ、ＡＰＩ＿ｃｏｎｔｏｒｌ＿ｄａｔａの値、コンテント利用記述子のｉｍａｇｅ＿ｃｏｎｓｔｒａｉｎｔ＿ｔｏｋｅｎ、ｒｅｔｅｎｔｉｏｎ＿ｍｏｄｅ、ｒｅｔｅｎｔｉｏｎ＿ｓｔａｔｅ、ｅｎｃｒｙｐｔｉｏｎ＿ｍｏｄｅの値によって読み替えの設定を変えることも可能とする。
【０１２３】
なお、このように、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）がＰＭＴ、ＥＩＴ、ＳＤＴに無かった場合は、ディジタルコピー制御記述子（ｄｉｇｉｔａｌ＿ｃｏｐｙ＿ｃｏｎｔｒｏｌ＿ｄｅｓｃｒｉｐｔｏｒ）のＣＧＭＳで代用されるが、ＰＭＴ、ＥＩＴ、ＳＤＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）とディジタルコピー制御記述子（ｄｉｇｉｔａｌ＿ｃｏｐｙ＿ｃｏｎｔｒｏｌ＿ｄｅｓｃｒｉｐｔｏｒ）とが無かった場合には、静止画のコピー制御はデフォルトの値が設定されることとする。
【０１２４】
図１０は、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）に対する受信機の処理シーケンスを示すフローチャートである。このシーケンスでは、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）の記述に基づいて記録媒体への記録やプリントアウトが制御されると共に、ＰＭＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が記述されていない場合には、上述のような読み替えによる設定を行うようにしている。
【０１２５】
ＰＭＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が配置されているかどうかが判断される（ステップＳ１）。
【０１２６】
ＰＭＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が配置されている場合には、ｐｒｉｎｔｉｎｇ＿ｃｏｎｔｒｏｌが「１」かどうかが判断される（ステップＳ２）。ｐｒｉｎｔｉｎｇ＿ｃｏｎｔｒｏｌが「１」の場合には、ｐｒｉｎｔ＿ｐｒｏｈｉｂｉｔｅｄ、ｐｒｉｎｔ＿ｃｏｎｓｔｒａｉｎｔ＿ｂｉｔ、ｎｕｍｂｅｒ＿ｏｆ＿ｐｒｉｎｔ、ｉｍａｇｅ＿ｒｅｓｏｌｕｔｉｏｎ＿ｃｏｎｔｒｏｌ、ｅｘｐｉｒａｔｉｏｎ＿ｄａｔｅの記述の条件に従って、印刷処理が行われる（ステップＳ３）。
【０１２７】
ステップＳ２で、ｐｒｉｎｔｉｎｇ＿ｃｏｎｔｒｏｌが「０」の場合には、制約条件なしに印刷が可能になる（ステップＳ４）。
【０１２８】
次に、ｒｅｃｏｒｄｉｎｇ＿ｃｏｎｔｒｏｌが「１」かどうかが判断される（ステップＳ５）。ｒｅｃｏｒｄｉｎｇ＿ｃｏｎｔｒｏｌが「１」の場合には、ｒｅｃｏｒｄ＿ｐｒｏｈｉｂｉｔｅｄ、ｒｅｃｏｒｄｉｎｇ＿ｓｅｃｕｒｉｔｙ、ｐｒｉｎｔ＿ｐｒｏｈｉｂｉｔｅｄ、ｎｕｍｂｅｒ＿ｏｆ＿ｐｒｉｎｔ、ｉｍａｇｅ＿ｒｅｓｏｌｕｔｉｏｎ＿ｃｏｎｔｒｏｌ、ｅｘｐｉｒａｔｉｏｎ＿ｄａｔｅの記述の条件に従って、記録処理が行われる（ステップＳ６）。
【０１２９】
ステップＳ５で、ｒｅｃｏｒｄｉｎｇ＿ｃｏｎｔｒｏｌが「０」の場合には、制約条件なしに記録処理が可能になる（ステップＳ７）。
【０１３０】
ステップＳ１で、ＰＭＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が配置されていない場合には、ＰＭＴにディジタルコピー制御記述子（ｄｉｇｉｔａｌ＿ｃｏｐｙ＿ｃｏｎｔｒｏｌ＿ｄｅｓｃｒｉｐｔｏｒ）があるかどうかが判断される（ステップＳ８）。
【０１３１】
ＰＭＴにディジタルコピー制御記述子（ｄｉｇｉｔａｌ＿ｃｏｐｙ＿ｃｏｎｔｒｏｌ＿ｄｅｓｃｒｉｐｔｏｒ）が無い場合には、制約条件なしに、印刷及び記録が可能になる（ステップＳ９）。
【０１３２】
ステップＳ８で、ＰＭＴにディジタルコピー制御記述子（ｄｉｇｉｔａｌ＿ｃｏｐｙ＿ｃｏｎｔｒｏｌ＿ｄｅｓｃｒｉｐｔｏｒ）がある場合には、ｄｉｇｉｔａｌ＿ｒｅｃｏｒｄｉｎｇ＿ｃｏｎｔｒｏｌ＿ｄａｔａの値が何であるかが判断される（ステップＳ１０）。
【０１３３】
ステップＳ１０で、ｄｉｇｉｔａｌ＿ｒｅｃｏｒｄｉｎｇ＿ｃｏｎｔｒｏｌ＿ｄａｔａが「００」の場合には、制約条件なしに、印刷及び記録が可能になる（ステップＳ９）。
【０１３４】
ステップＳ１０で、ｄｉｇｉｔａｌ＿ｒｅｃｏｒｄｉｎｇ＿ｃｏｎｔｒｏｌ＿ｄａｔａが「１０」の場合には、（ｐｒｉｎｔ＿ｐｒｏｈｉｂｉｔｅｄ  ＝  ０、ｐｒｉｎｔ＿ｃｏｎｓｔｒａｉｎｔ＿ｂｉｔ  ＝  １、ｎｕｍｂｅｒ＿ｏｆ＿ｐｒｉｎｔ  ＝  ０００００１）となり、１枚のみ印刷可能として処理される。また、（ｒｅｃｏｒｄ＿ｐｒｏｈｉｂｉｔｅｄ  ＝  ０、ｒｅｃｏｒｄｉｎｇ＿ｓｅｃｕｒｉｔｙ  ＝  １、ｐｒｉｎｔ＿ｐｒｏｈｉｂｉｔｅｄ  ＝  ０、ｎｕｍｂｅｒ＿ｏｆ＿ｒｅｃｏｒｄ  ＝  １）となり、記録についてはセキュリティが定義されている記録媒体にのみ記録可能となる（ステップＳ１１）。
【０１３５】
ステップＳ１０で、ｄｉｇｉｔａｌ＿ｒｅｃｏｒｄｉｎｇ＿ｃｏｎｔｒｏｌ＿ｄａｔａが「０１」又は「１１」の場合には、（ｐｒｉｎｔ＿ｐｒｏｈｉｂｉｔｅｄ  ＝  １、ｒｅｃｏｒｄ＿ｐｒｏｈｉｂｉｔｅｄ  ＝  １）となり、印刷及び記録が禁止される（ステップＳ１２）。
【０１３６】
図１１は、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）に対する受信機の予約シーケンスを示すフローチャートである。このシーケンスでは、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）の記述に基づいて記録媒体への記録やプリントアウトの予約が制御されると共に、ＥＩＴ及びＳＤＴに静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が記述されていない場合には、上述のような読み替えによる設定を行うようにしている。
【０１３７】
予約番組の選択が行われ（ステップＳ２１）、予約番組が選択されたら、予約番組のＥＩＴ及びＳＤＴが取得される（ステップＳ２２）。そして、ＥＩＴ又はＳＤＴの番組情報に静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が配置されているかどうかが判断される（ステップＳ２３）。
【０１３８】
ＥＩＴ及びＳＤＴの番組情報に静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が配置されている場合には、ｐｒｉｎｔｉｎｇ＿ｃｏｎｔｒｏｌが「１」かどうかが判断される（ステップＳ２４）。ｐｒｉｎｔｉｎｇ＿ｃｏｎｔｒｏｌが「１」の場合には、ｐｒｉｎｔ＿ｐｒｏｈｉｂｉｔｅｄ、ｐｒｉｎｔ＿ｃｏｎｓｔｒａｉｎｔ＿ｂｉｔ、ｎｕｍｂｅｒ＿ｏｆ＿ｐｒｉｎｔ、ｉｍａｇｅ＿ｒｅｓｏｌｕｔｉｏｎ＿ｃｏｎｔｒｏｌ、ｅｘｐｉｒａｔｉｏｎ＿ｄａｔｅの記述の条件に従って、印刷予約処理が行われる（ステップＳ２５）。
【０１３９】
ｐｒｉｎｔｉｎｇ＿ｃｏｎｔｒｏｌが「０」の場合には、制約条件なしに印刷が可能の予約処理が行われる（ステップＳ２６）。
【０１４０】
次に、ｒｅｃｏｒｄｉｎｇ＿ｃｏｎｔｒｏｌが「１」かどうかが判断される（ステップＳ２７）。ｒｅｃｏｒｄｉｎｇ＿ｃｏｎｔｒｏｌが「１」の場合には、ｒｅｃｏｒｄ＿ｐｒｏｈｉｂｉｔｅｄ、ｒｅｃｏｒｄｉｎｇ＿ｓｅｃｕｒｉｔｙ、ｐｒｉｎｔ＿ｐｒｏｈｉｂｉｔｅｄ、ｎｕｍｂｅｒ＿ｏｆ＿ｐｒｉｎｔ、ｉｍａｇｅ＿ｒｅｓｏｌｕｔｉｏｎ＿ｃｏｎｔｒｏｌ、ｅｘｐｉｒａｔｉｏｎ＿ｄａｔｅの記述の条件に従って、記録予約処理が行われる（ステップＳ２８）。
【０１４１】
ステップＳ２７で、ｒｅｃｏｒｄｉｎｇ＿ｃｏｎｔｒｏｌが「０」の場合には、制約条件なしに記録可能の予約処理が行われる（ステップＳ２９）。
【０１４２】
ステップＳ２３で、ＥＩＴ及びＳＤＴの番組情報に静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が配置されていない場合には、ＥＩＴ又はＳＤＴにディジタルコピー制御記述子（ｄｉｇｉｔａｌ＿ｃｏｐｙ＿ｃｏｎｔｒｏｌ＿ｄｅｓｃｒｉｐｔｏｒ）があるかどうかが判断される（ステップＳ３０）。
【０１４３】
ＥＩＴ又はＳＤＴにディジタルコピー制御記述子（ｄｉｇｉｔａｌ＿ｃｏｐｙ＿ｃｏｎｔｒｏｌ＿ｄｅｓｃｒｉｐｔｏｒ）が無い場合には、制約条件なしに、印刷可能及び記録可能の予約処理が行われる（ステップＳ３１）。
【０１４４】
ステップＳ３０で、ＥＩＴ又はＳＤＴにディジタルコピー制御記述子（ｄｉｇｉｔａｌ＿ｃｏｐｙ＿ｃｏｎｔｒｏｌ＿ｄｅｓｃｒｉｐｔｏｒ）がある場合には、ｄｉｇｉｔａｌ＿ｒｅｃｏｒｄｉｎｇ＿ｃｏｎｔｒｏｌ＿ｄａｔａの値が何であるかが判断される（ステップＳ３２）。
【０１４５】
ステップＳ３２で、ｄｉｇｉｔａｌ＿ｒｅｃｏｒｄｉｎｇ＿ｃｏｎｔｒｏｌ＿ｄａｔａが「００」の場合には、制約条件なしに、印刷及び記録が可能になる（ステップＳ３１）。
【０１４６】
ステップＳ３２で、ｄｉｇｉｔａｌ＿ｒｅｃｏｒｄｉｎｇ＿ｃｏｎｔｒｏｌ＿ｄａｔａが「１０」の場合には、（ｐｒｉｎｔ＿ｐｒｏｈｉｂｉｔｅｄ  ＝  ０、ｐｒｉｎｔ＿ｃｏｎｓｔｒａｉｎｔ＿ｂｉｔ  ＝  １、ｎｕｍｂｅｒ＿ｏｆ＿ｐｒｉｎｔ  ＝  ０００００１）となり、１枚のみ印刷可能となる予約処理が行われる。また、（ｒｅｃｏｒｄ＿ｐｒｏｈｉｂｉｔｅｄ  ＝  ０、ｒｅｃｏｒｄｉｎｇ＿ｓｅｃｕｒｉｔｙ  ＝  １、ｐｒｉｎｔ＿ｐｒｏｈｉｂｉｔｅｄ  ＝  ０、ｎｕｍｂｅｒ＿ｏｆ＿ｒｅｃｏｒｄ  ＝  １）となり、セキュリティが定義されている記録媒体にのみ記録可能となる予約処理が行われる（ステップＳ３３）。
【０１４７】
ステップＳ３２で、ｄｉｇｉｔａｌ＿ｒｅｃｏｒｄｉｎｇ＿ｃｏｎｔｒｏｌ＿ｄａｔａが「０１」又は「１１」の場合には、（ｐｒｉｎｔ＿ｐｒｏｈｉｂｉｔｅｄ  ＝  １）、（ｒｅｃｏｒｄ＿ｐｒｏｈｉｂｉｔｅｄ  ＝  １）となり、印刷及び記録の予約が不可とされる（ステップＳ３３）。
【０１４８】
なお、図５に示した静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）で指定されている各々のパラメータは、１つの例であり、パラメータを減らした記述子、また同じ目的を実現するために構成の違う記述子を定義することも可能である。また最後のフィールドのｒｅｓｅｒｖｅｄ＿ｆｕｔｕｒｅ＿ｕｓｅを将来必要となる著作権情報の定義を追加することも可能とする。また、コンテント利用記述子（ｃｏｎｔｅｎｔ＿ａｖａｉｌａｂｉｌｉｔｙ＿ｄｅｓｃｒｉｐｔｏｒ）の最後のフィールドに定義されているｒｅｓｅｒｖｅｄ＿ｆｕｔｕｒｅ＿ｕｓｅのエリアに静止画コピー制御記述子のパラメータを入れ、静止画コピー制御記述子の代用とすることも可能である。
【０１４９】
この発明は、上述した実施形態に限定されるものではなく、この発明の要旨を逸脱しない範囲内で様々な変形や応用が可能である。
【０１５０】
【発明の効果】
この発明によれば、放送されてくるコンテンツデータの著作権の保護を図る必要があるときには、それに基づいて、ディジタルコピー制御記述子（ｄｉｇｉｔａｌ＿ｃｏｐｙ＿ｃｏｎｔｒｏｌ＿ｄｅｓｃｒｉｐｔｏｒ）や、コンテント利用記述子（ｃｏｎｔｅｎｔ＿ａｖａｉｌａｂｉｌｉｔｙ＿ｄｅｓｃｒｉｐｔｏｒ）、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）が記述される。ディジタルコピー制御記述子（ｄｉｇｉｔａｌ＿ｃｏｐｙ＿ｃｏｎｔｒｏｌ＿ｄｅｓｃｒｉｐｔｏｒ）やコンテント利用記述子（ｃｏｎｔｅｎｔ＿ａｖａｉｌａｂｉｌｉｔｙ＿ｄｅｓｃｒｉｐｔｏｒ）ばかりでなく、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を使うことで、動画ばかりでなく、静止画についても著作権の保護を図ることができる。
【０１５１】
静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を使うことで、ディジタル放送における静止画の著作権情報及び著作権情報により受信機の振る舞いを細かく記載することが可能となる。また、ディジタル放送のコンテンツの受信機における印刷の細かい制御を可能となる。また、ディジタル放送のコンテンツの受信機における記録媒体への記録の細かい制御が可能となる。
【０１５２】
また、この発明では、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）静止画著作権情報が参照できないときには、ディジタルコピー制御記述子（ｄｉｇｉｔａｌ＿ｃｏｐｙ＿ｃｏｎｔｒｏｌ＿ｄｅｓｃｒｉｐｔｏｒ）を参照し、ディジタルコピー制御記述子（ｄｉｇｉｔａｌ＿ｃｏｐｙ＿ｃｏｎｔｒｏｌ＿ｄｅｓｃｒｉｐｔｏｒ）で静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）を設定するようにしている。これにより、ディジタル放送の送出側の負担を減らすことができる。
【０１５３】
また、この発明では、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）及びディジタルコピー制御記述子（ｄｉｇｉｔａｌ＿ｃｏｐｙ＿ｃｏｎｔｒｏｌ＿ｄｅｓｃｒｉｐｔｏｒ）双方が参照できない場合は、あらかじめ決められた静止画の著作権情報に基づいて、静止画のコピー制御記述子（ｓｔｉｌｌ＿ｉｍａｇｅ＿ｃｏｐｙ＿ｃｏｎｔｒｏｌ＿ｄｅｓｃｒｉｐｔｏｒ）を設定するようにしている。
【０１５４】
また、この発明によれば、静止画コピー制御記述子（ｓｔｉｌｌ＿ｉｍａｇｅ＿ｃｏｐｙ＿ｃｏｎｔｒｏｌ＿ｄｅｓｃｒｉｐｔｏｒ）をＥＩＴ及びＳＤＴに挿入することで、番組予約の際に、静止画の著作権の保護を行うことができる。
【図面の簡単な説明】
【図１】この発明が適用された放送システムの概要を示すブロック図である。
【図２】トランスポートストリームの説明に用いる略線図である。
【図３】ディジタルコピー制御記述子の構造を示す略線図である。
【図４】コンテント利用記述子の構造を示す略線図である。
【図５】静止画コピー制御記述子の構造を示す略線図である。
【図６】この発明が適用できる受信機の一例のブロック図である。
【図７】ＰＭＴの構造を示す略線図である。
【図８】ＥＩＴの構成を示す略線図である。
【図９】ＳＤＴの構成を示す略線図である。
【図１０】受信機の処理シーケンスの一例のフローチャートである。
【図１１】受信機の予約シーケンスの一例のフローチャートである。
【符号の説明】
１・・・放送局、２・・・受信機、３・・・テレビジョン受像機、５・・・ビデオ記録再生装置、６・・・プリンタ、７・・・パーソナルコンピュータ
【図１】
2004173079.tif 000003
【図２】
2004173079.tif 000004
【図３】
2004173079.tif 000005
【図４】
2004173079.tif 000006
【図５】
2004173079.tif 000007
【図６】
2004173079.tif 000008
【図７】
2004173079.tif 000009
【図８】
2004173079.tif 000010
【図９】
2004173079.tif 000011
【図１０】
2004173079.tif 000012
【図１１】
2004173079.tif 000013
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
ＭＰＥＧシステムのストリームでディジタル放送を送信する送信装置と、
上記送信装置から送信されたストリームを受信する受信装置とからなり、
上記送信装置は、静止画の著作権情報を上記ストリーム中の所定のテーブルに含めて送信し、
上記受信装置は、上記送信装置から送られてきた上記ストリーム中の上記所定のテーブルの上記静止画の著作権情報を参照し、上記所定のテーブルの上記静止画の著作権情報に基づいて静止画の著作権保護の処理を行うようにした放送システム。
【請求項２】
ＭＰＥＧシステムのストリームでディジタル放送を送信する送信装置と、
上記送信装置から送信されたストリームを受信する受信装置とからなり、
上記送信装置は、静止画の著作権情報を上記ストリーム中の所定のテーブルに含めて送信し、
上記受信装置は、上記送信装置から送られてきた上記ストリーム中の上記所定のテーブルの上記静止画の著作権情報を参照し、上記所定のテーブルの上記静止画の著作権情報に基づいて予約時の静止画の著作権保護の処理を行うようにした放送システム。
【請求項３】
上記所定のテーブルは、ＭＰＥＧに規定されているＰＭＴ（Ｐｒｏｇｒａｍ  Ｍａｐ  Ｔａｂｌｅ）であることを特徴とする請求項１に記載の放送システム。
【請求項４】
上記所定のテーブルは、ＭＰＥＧに規定されているＥＩＴ（Ｅｖｅｎｔ  Ｉｎｆｏｒｍａｔｉｏｎ  Ｔａｂｌｅ）及び／又はＳＤＴ（Ｓｅｒｖｉｃｅ  Ｄｅｓｃｒｉｐｔｉｏｎ  Ｔａｂｌｅ）であることを特徴とする請求項２に記載の放送システム。
【請求項５】
上記静止画の著作権管理情報は、動画の著作権管理情報と独立に設定可能とされた請求項１又は２に記載の放送システム。
【請求項６】
上記静止画像は、動画像の一部を抽出した静止画である請求項１又は２に記載の放送システム。
【請求項７】
上記静止画像は、データ放送で送られてきた静止画である請求項１又は２に記載の放送システム。
【請求項８】
上記送信装置は、表示画面の解像度に関する情報を上記静止画の著作権情報中に含め、上記受信装置は、上記静止画の著作権情報に含められた解像度に関する情報を参照し、解像度を制限するようにした請求項１又は２に記載の放送システム。
【請求項９】
データ放送で送られてきた静止画のうち、文字などの解像度制限する必要の無いグラフィックス信号のみに解像度の制限を適応しないことを可能とした請求項１又は２に記載の放送システム。
【請求項１０】
上記送信装置は、記録制限に関する情報を上記静止画の著作権情報中に含め、上記受信装置は、上記静止画の著作権情報に含められた記録制限に関する情報を参照し、記録媒体への記録を制限するようにした請求項１又は２に記載の放送システム。
【請求項１１】
上記送信装置は、印刷に関する情報を上記静止画の著作権情報中に含め、上記受信装置は、上記静止画の著作権情報に含められた印刷に関する情報を参照し、プリンタへの印刷を制限するようにした請求項１又は２に記載の放送システム。
【請求項１２】
ＭＰＥＧシステムのストリームで送信されてきたディジタル放送の信号を受信する受信手段と、
上記受信したストリーム中から所定のテーブルの情報をデコードし、上記所定のテーブルから静止画の著作権情報を取得する手段と、
上記ストリーム中の上記所定のテーブルの上記静止画の著作権情報を参照し、上記所定のテーブルの上記静止画の著作権情報に基づいて静止画の著作権保護の処理を行う手段と
を備えるようにした受信装置。
【請求項１３】
ＭＰＥＧシステムのストリームで送信されてきたディジタル放送の信号を受信する受信手段と、
上記受信したストリーム中から所定のテーブルの情報をデコードし、上記所定のテーブルから静止画の著作権情報を取得する手段と、
上記ストリーム中の上記所定のテーブルの上記静止画の著作権情報を参照し、上記所定のテーブルの上記静止画の著作権情報に基づいて予約時の静止画の著作権保護の処理を行う手段と
を備えるようにした受信装置。
【請求項１４】
上記所定のテーブルの上記静止画著作権情報が参照できないときには、上記所定のテーブルの動画著作権情報を参照し、上記動画著作権情報に基づいて上記静止画著作権情報を設定するようにした請求項１２に記載の受信装置。
【請求項１５】
上記所定テーブルの静止画著作権情報及び上記所定のテーブルの動画著作権情報が参照できないときには、あらかじめ決められた静止画の著作権情報に基づいて上記静止画著作権情報を設定するようにした請求項１２に記載の受信装置。
【請求項１６】
上記所定のテーブルの上記静止画著作権情報が参照できないときには、上記所定のテーブルの動画著作権情報を参照し、上記動画著作権情報に基づいて上記静止画著作権情報を設定するようにした請求項１３に記載の受信装置。
【請求項１７】
上記所定のテーブルの静止画著作権情報並びに上記所定のテーブルの静止画著作権情報が参照できないときには、あらかじめ決められた静止画の著作権情報に基づいて上記静止画著作権情報を設定するようにした請求項１３に記載の受信装置。
【請求項１８】
上記静止画の著作権情報中には表示画面の解像度に関する情報が含められ、上記静止画の著作権情報に含められた解像度に関する情報を参照し、解像度を制限するようにした請求項１２又は１３に記載の受信装置。
【請求項１９】
上記静止画の著作権情報中には記録制限に関する情報が含められ、上記静止画の著作権情報に含められた記録制限に関する情報を参照し、記録媒体への記録を制限するようにした請求項１２又は１３に記載の受信装置。
【請求項２０】
上記静止画の著作権情報中には印刷に関する情報が含められ、上記静止画の著作権情報に含められた印刷に関する情報を参照し、プリンタへの印刷を制限するようにした請求項１２又は１３に記載の受信装置。
【請求項２１】
静止画の著作権情報をＭＰＥＧシステムのストリーム中の所定のテーブルに含めて送信し、
上記送信されてきたＭＰＥＧシステムのストリームを受信し、
上記受信されたストリーム中の上記所定のテーブルの上記静止画の著作権情報を参照し、上記所定のテーブルの上記静止画の著作権情報に基づいて静止画の著作権保護の処理を行うようにした放送データの保護方法。
【請求項２２】
静止画の著作権情報をＭＰＥＧシステムのストリーム中の所定のテーブルに含めて送信し、
上記送信されてきたＭＰＥＧシステムのストリームを受信し、
上記受信されたストリーム中の上記所定のテーブルの上記静止画の著作権情報を参照し、上記所定のテーブルの上記静止画の著作権情報に基づいて予約時の静止画の著作権保護の処理を行うようにした放送データの保護方法。
【請求項２３】
上記静止画の著作権管理情報は、動画の著作権管理情報と独立に設定可能とされた請求項２１又は２２に記載の放送データの保護方法。
【請求項２４】
上記静止画像は、動画像の一部を抽出した静止画である請求項２１又は２２に記載の放送データの保護方法。
【請求項２５】
上記静止画像は、データ放送で送られてきた静止画である請求項２１又は２２に記載の放送データの保護方法。
【請求項２６】
上記送信する際に、表示画面の解像度に関する情報を上記静止画の著作権情報中に含め、上記受信する際に、上記静止画の著作権情報に含められた解像度に関する情報を参照し、解像度を制限するようにした請求項２１又は２２に記載の放送データの保護方法。
【請求項２７】
データ放送で送られてきた静止画のうち、文字などの解像度制限する必要の無いグラフィックス信号のみに解像度の制限を適応しないことを可能とした請求項２１又は２２に記載の放送データの保護方法。
【請求項２８】
上記送信する際に、記録制限に関する情報を上記静止画の著作権情報中に含め、上記受信する際に、上記静止画の著作権情報に含められた記録制限に関する情報を参照し、記録媒体への記録を制限するようにした請求項２１又は２２に記載の放送データの保護方法。
【請求項２９】
上記送信する際に、印刷に関する情報を上記静止画の著作権情報中に含め、上記受信する際に、上記静止画の著作権情報に含められた印刷に関する情報を参照し、プリンタへの印刷を制限するようにした請求項２１又は２２に記載の放送データの保護方法。
【請求項３０】
ＭＰＥＧシステムのストリームで送信されてきたディジタル放送の信号を受信し、
上記受信したストリーム中から所定のテーブルの情報をデコードし、上記所定のテーブルから静止画の著作権情報を取得し、
上記ストリーム中の上記所定のテーブルの上記静止画の著作権情報を参照し、上記所定のテーブルの上記静止画の著作権情報に基づいて静止画の著作権保護の処理を行う
ようにした受信方法。
【請求項３１】
ＭＰＥＧシステムのストリームで送信されてきたディジタル放送の信号を受信し、
上記受信したストリーム中から所定のテーブルの情報をデコードし、上記所定のテーブルから静止画の著作権情報を取得し、
上記ストリーム中の上記所定のテーブルの上記静止画の著作権情報を参照し、上記所定のテーブルの上記静止画の著作権情報に基づいて予約時の静止画の著作権保護の処理を行う
ようにした受信方法。
【手続補正２】
【補正対象書類名】明細書
【補正対象項目名】００２６
【補正方法】変更
【補正の内容】
【００２６】
【課題を解決するための手段】
この発明は、ＭＰＥＧシステムのストリームでディジタル放送を送信する送信装置と、送信装置から送信されたストリームを受信する受信装置とからなり、送信装置は、静止画の著作権情報をストリーム中の所定のテーブルに含めて送信し、受信装置は、送信装置から送られてきたストリーム中の所定のテーブルの静止画の著作権情報を参照し、所定のテーブルの静止画の著作権情報に基づいて静止画の著作権保護の処理を行うようにした放送システムである。


【手続補正３】
【補正対象書類名】明細書
【補正対象項目名】００２７
【補正方法】変更
【補正の内容】
【００２７】
この発明は、ＭＰＥＧシステムのストリームでディジタル放送を送信する送信装置と、送信装置から送信されたストリームを受信する受信装置とからなり、送信装置は、静止画の著作権情報をストリーム中の所定のテーブルに含めて送信し、受信装置は、送信装置から送られてきたストリーム中の所定のテーブルの静止画の著作権情報を参照し、所定のテーブルの静止画の著作権情報に基づいて予約時の静止画の著作権保護の処理を行うようにした放送システムである。


【手続補正４】
【補正対象書類名】明細書
【補正対象項目名】００２８
【補正方法】変更
【補正の内容】
【００２８】
この発明は、ＭＰＥＧシステムのストリームで送信されてきたディジタル放送の信号を受信する受信手段と、受信したストリーム中から所定のテーブルの情報をデコードし、所定のテーブルから静止画の著作権情報を取得する手段と、ストリーム中の所定のテーブルの静止画の著作権情報を参照し、所定のテーブルの静止画の著作権情報に基づいて静止画の著作権保護の処理を行う手段とを備えるようにした受信装置である。


【手続補正５】
【補正対象書類名】明細書
【補正対象項目名】００２９
【補正方法】変更
【補正の内容】
【００２９】
この発明は、ＭＰＥＧシステムのストリームで送信されてきたディジタル放送の信号を受信する受信手段と、受信したストリーム中から所定のテーブルの情報をデコードし、所定のテーブルから静止画の著作権情報を取得する手段と、ストリーム中の所定のテーブルの静止画の著作権情報を参照し、所定のテーブルの静止画の著作権情報に基づいて予約時の静止画の著作権保護の処理を行う手段とを備えるようにした受信装置である。


【手続補正６】
【補正対象書類名】明細書
【補正対象項目名】００３０
【補正方法】変更
【補正の内容】
【００３０】
この発明は、静止画の著作権情報をＭＰＥＧシステムのストリーム中の所定のテーブルに含めて送信し、送信されてきたＭＰＥＧシステムのストリームを受信し、受信されたストリーム中の所定のテーブルの静止画の著作権情報を参照し、所定のテーブルの静止画の著作権情報に基づいて静止画の著作権保護の処理を行うようにした放送データの保護方法である。


【手続補正７】
【補正対象書類名】明細書
【補正対象項目名】００３１
【補正方法】変更
【補正の内容】
【００３１】
この発明は、静止画の著作権情報をＭＰＥＧシステムのストリーム中の所定のテーブルに含めて送信し、送信されてきたＭＰＥＧシステムのストリームを受信し、受信されたストリーム中の所定のテーブルの静止画の著作権情報を参照し、所定のテーブルの静止画の著作権情報に基づいて予約時の静止画の著作権保護の処理を行うようにした放送データの保護方法である。


【手続補正８】
【補正対象書類名】明細書
【補正対象項目名】００３２
【補正方法】変更
【補正の内容】
【００３２】
この発明は、ＭＰＥＧシステムのストリームで送信されてきたディジタル放送の信号を受信し、受信したストリーム中から所定のテーブルの情報をデコードし、所定のテーブルから静止画の著作権情報を取得し、ストリーム中の所定のテーブルの静止画の著作権情報を参照し、所定のテーブルの静止画の著作権情報に基づいて静止画の著作権保護の処理を行うようにした受信方法である。


【手続補正９】
【補正対象書類名】明細書
【補正対象項目名】００３３
【補正方法】変更
【補正の内容】
【００３３】
この発明は、ＭＰＥＧシステムのストリームで送信されてきたディジタル放送の信号を受信し、受信したストリーム中から所定のテーブルの情報をデコードし、所定のテーブルから静止画の著作権情報を取得し、ストリーム中の所定のテーブルの静止画の著作権情報を参照し、所定のテーブルの静止画の著作権情報に基づいて予約時の静止画の著作権保護の処理を行うようにした受信方法である。